(57)【要約】  物品（１０５）を輸送するための輸送容器（１００）は、物品（１０５）を受け入れる物品位置（１０４）及び上記物品位置（１０４）を断熱する真空断熱パネルＶＩＰ（１０２−ｉ）を有する。上記ＶＩＰ内のセンサユニット（１２０−ｉ）は、上記ＶＩＰの物理特性の測定値に応じたパネル状態信号（ＰＣＳ、１２５−ｉ）を提供する。上記物理特性は、上記物品の温度（Θ  ＯＢＪＥＣＴ）に影響を与える。短距離伝送ユニット（１３０−ｉ）は、上記ＰＣＳの第１符号（１３５−ｉ）を上記容器（１００）内で伝送し、長距離伝送ユニット（１４０）は、上記ＰＣＳを処理するための遠隔サーバ（２００）に上記ＰＣＳの第２符号（１４５）を伝送する。上記サーバ（２００）は、上記輸送容器の運用状態の表現を決定し、上記運用状態は、上記物品の温度（Θ  ＯＢＪＥＣＴ）に関連する。上記ＶＩＰの材料は、伝送パラメータが材料に依存するように分類及び区別される。【選択図】図３
2019522596.tif 000002
【特許請求の範囲】
【請求項１】
物品（１０５）を輸送するための輸送容器（１００）において、
前記輸送容器（１００）は、
前記物品（１０５）を受け入れるように適応された物品位置（１０４）と、
前記物品位置（１０４）を断熱するように適応された少なくとも１つの真空断熱パネル（１０２−ｉ）と、
前記物品の温度（Θ  ＯＢＪＥＣＴ）に影響を与える前記真空断熱パネル（１０２−ｉ）の少なくとも１つの物理特性に対する測定値（Ｖｉｊ）に応じたパネル状態信号（１２５−ｉ）を提供するように適応され、前記真空断熱パネル（１０２−ｉ）に組付けられた少なくとも１つのセンサユニット（１２０−ｉ）と、
前記パネル状態信号（１２５−ｉ）の第１符号（１３５−ｉ）を前記輸送容器（１００）内で伝送するように適応された少なくとも１つの短距離伝送ユニット（１３０−ｉ）と、
前記短距離伝送ユニット（１３０−ｉ）からの前記パネル状態信号（１２５−ｉ）の前記第１符号（１３５−ｉ）を受信すると共に、前記輸送容器の運用状態の表現を規定するように前記パネル状態信号を処理するための遠隔サーバコンピュータ（２００）に前記パネル状態信号の第２符号（１４５）を伝送するように適応された長距離伝送ユニット（１４０）とを備え、
前記運用状態は、前記物品の温度（Θ  ＯＢＪＥＣＴ）に関連すると共に、前記長距離伝送ユニット（１４０）から前記遠隔サーバコンピュータ（２００）への前記パネル状態信号（１２５−ｉ）の前記第２符号（１４５）の後続の伝送までの時間間隔からなる前記伝送間隔に依存し、
前記伝送は、選択的に、
・所定の持続時間を有する前記伝送間隔を伴う周期的な伝送、及び
・最長持続時間を有する前記伝送間隔を伴う区分のない伝送の何れかである、輸送容器。
【請求項２】
前記伝送間隔は、前記真空断熱パネル（１０２−ｉ）に用いられる材料に依存し、より高い断熱性能を有する材料を用いた真空断熱パネルに対しては前記伝送間隔がより長い、請求項１に記載の輸送容器（１００）。
【請求項３】
少なくとも前記伝送間隔は、前記真空断熱パネル材料の材料クラスへの類別を使用することによって区別される、請求項２に記載の輸送容器（１００）。
【請求項４】
前記真空断熱パネルは、ポリウレタンＰＵ、発泡スチロールＥＰＳ、及び有機エアロゲルから選択されたコア材料を有し、前記有機エアロゲルを有する前記真空断熱パネルは、比較的により高い材料性能クラスに分類され、ポリウレタンＰＵ又は発泡スチロールＥＰＳを有する前記真空断熱パネルは、比較的により低い材料性能クラスに分類される、請求項３に記載の輸送容器（１００）。
【請求項５】
前記有機エアロゲルは、国際公開番号ＷＯ２０１６／０４６１７２Ａ２に記述されるようにして製造された真空引き可能な有機材料である、請求項４に記載の輸送容器（１００）。
【請求項６】
前記有機エアロゲルがＷｉｅｇｍａｎｎエアロゲルである、請求項４に記載の輸送容器（１００）。
【請求項７】
請求項１乃至６の何れか１項に記載の輸送容器（１００）の操作方法（１０００）であって、
第１材料を使用して製造された第１真空断熱パネル（１０２−ｉ）を、第２材料を使用して製造された第２真空断熱パネル（１０２’−ｉ）と置換し、双方の材料は前記２つの真空断熱パネルに異なる熱伝導率をもたらすステップ（１０１０）と、
前記遠隔サーバコンピュータ（２００）への前記パネル状態信号の第２符号（１４５）の伝送に関する技術パラメータを改変するステップ（１０４０）とを備える、操作方法。
【請求項８】
前記第１真空断熱パネル及び第２真空断熱パネルは、前記材料に従って、前記異なる熱伝導率による前記真空断熱パネルの性能を表す複数の材料性能クラスに分類されると共に、前記材料性能クラスは、前記真空断熱パネルに関連付けされたデータ構造によって表され、前記方法（１０００）は更に、前記データ構造を読み込むステップ（１０２０、１０３０）を備え、前記技術パラメータの改変ステップ（１０４０）は、より高い真空断熱パネル性能を有するように分類された真空断熱パネルのためにより長い伝送間隔（Ｔ  ＳＡＭＰＬＥ）を選択するステップ（１０４０）を備える、請求項７に記載の輸送容器（１００）の操作方法（１０００）。
【請求項９】
前記技術パラメータの改変ステップ（１０４０）は、より高い真空断熱パネル性能を有するように分類された前記真空断熱パネルのために、より長い残存機能間隔（Ｔ  ＬＩＭＩＴ）を選択するステップを備える、請求項７又は８に記載の輸送容器（１００）の操作方法。
【請求項１０】
前記データ構造の読み込みステップは、前記第２真空断熱パネルの前記クラスを示す材料クラス信号（ＭＣＳ）を前記遠隔サーバコンピュータ（２００）に伝送するステップ（１０３０）を備える、請求項８に記載の輸送容器（１００）の操作方法。
【請求項１１】
請求項１乃至６の何れか１項に記載の輸送容器（１００）からの前記パネル状態信号の前記第２符号（１４５）を受信するように適応された遠隔サーバコンピュータ（２００）において、
前記遠隔サーバコンピュータ（２００）は、
・前記パネル状態信号の前記第２符号（１４５）を標本（Ｔ  ＳＡＭＰＬＥ）の連続として受信し、
・受信する新しい標本に基づいて、予め規定された規則（Ｒ１、Ｒ２、Ｒ３、Ｒ４）の組合せに従って前記輸送容器（１００）の少なくとも１つの前記運用状態の状態値を測定し、更に
・その状態値の表示（ＮＯＲＭＡＬ−ＵＦＮＣＴＩＯＮ＊、ＰＲＥ−ＦＡＩＬＵＲＥ−ＦＵＮＣＴＩＯＮ＊、ＦＡＩＬＵＲＥ＊）を記憶する
ように適応された規則モジュール（２５０）によって特徴付けられ、
前記予め規定された規則の組合せは、
前記輸送容器（１００）の前記運用状態が標準機能状態（ＮＯＲＭＡＬ−ＦＵＮＣＴＩＯＮ＊）であることを決定するための第１則（Ｒ１）と、
前記真空断熱パネルに関する事象の発生を検出すると前記輸送容器（１００）の前記運用状態が前故障状態であると決定するための第２則（Ｒ２）と、
前記真空断熱パネルの事象から前記特定の物品位置（１０４）での予め規定された状態までの時間間隔が伸びて、前記時間間隔（Ｔ  ＬＩＭＩＴ）が経過したときに前記状態値の表示を故障状態（ＦＡＩＬＵＲＥ＊）にセットすることを確定する第３則（Ｒ３）とを備え、
前記第３則は、前記真空断熱パネル（１０２−ｉ）の前記材料に依存する特定の輸送容器（１００）のための時間間隔を確定する、遠隔サーバコンピュータ。
【請求項１２】
前記遠隔サーバコンピュータ（２００）は、前記第２真空断熱パネルの前記クラスを示す材料クラス信号（ＭＣＳ）を受信する、請求項１１に記載の遠隔サーバコンピュータ（２００）。
【請求項１３】
物品（１０５）を輸送するのに適応された輸送容器（１００）の操作方法（７００）において、
前記輸送容器（１００）内において真空断熱パネル（１０２−ｉ）で断熱された物品位置（１０４）内に物品（１０５）を設置するステップ（７１０）と、
前記真空断熱パネル（１０２−ｉ）に組付けられたセンサユニット（１２０−ｉ）により、前記物品の温度（Θ  ＯＢＪＥＣＴ）に影響を与える前記真空断熱パネル（１０２−ｉ）の少なくとも１つの物理特性に対する測定値（Ｖｉｊ）に応じたパネル状態信号（１２５−ｉ）を提供するステップ（７２０）と、
短距離伝送ユニット（１３０−ｉ）により、前記パネル状態信号（１２５−ｉ）の第１符号（１３５−ｉ）を前記輸送容器（１００）内で伝送するステップ（７３０）と、
長距離伝送ユニット（１４０）により、前記短距離伝送ユニット（１３０−ｉ）からの前記パネル状態信号（１２５−ｉ）の前記第１符号（１３５−ｉ）を受信するステップ（７４０）、及び、前記輸送容器（１００）の少なくとも１つの運用状態の状態値を規定するように前記パネル状態信号を処理するための遠隔サーバコンピュータ（２００）に前記パネル状態信号の第２符号（１４５）を伝送するステップ（７５０）と、
前記輸送容器（１００）の前故障状態の決定に基づいて、新規の真空断熱パネルによって前記真空断熱パネル（１０２−ｉ）を置換するステップ（１０１０）及び前記物品温度（Θ  ＯＢＪＥＣＴ）の変化から選択される行為を含めた修正行動を提供するステップ（７６０）とを備える、操作方法（７００）。
【請求項１４】
前記新規の真空断熱パネル及び前記短距離伝送ユニット（１３０−ｉ）間の相互作用、又は前記新規の真空断熱パネル及び前記長距離伝送ユニット（１４０）間の相互作用により、前記新規の真空断熱パネルの材料クラスを示す材料クラス信号（ＭＣＳ）を検出するステップ（１０２０）を更に備える、請求項１３に記載の操作方法。
【請求項１５】
前記新規の真空断熱パネルの前記クラスを示す材料クラス信号（ＭＣＳ）を前記遠隔サーバコンピュータ（２００）に伝送するステップ（１０３０）を更に備える、請求項１３又は１４に記載の操作方法。
【請求項１６】
前記パネル状態信号を提供するステップ（７２０）、前記パネル状態信号の前記第１符号を伝送するステップ（７３０）、及び前記パネル状態信号の前記第１符号を受信するステップ（７４０）がコンピュータ実装ステップである、請求項１３乃至１５の何れか１項に記載の操作方法。
【請求項１７】
コンピュータの記憶装置にロードされ且つ前記コンピュータの少なくとも１つの処理装置によって実行される指示を含み、請求項１６に記載の操作方法のステップの実行への前記コンピュータの参加をもたらす、コンピュータプログラム製品。
【請求項１８】
遠隔サーバコンピュータ（２００）を操作するためにコンピュータに実装された方法（８００）において、
前記遠隔サーバコンピュータ（２００）は、物品位置（１０４）を断熱する真空断熱パネル（１２０−ｉ）を備えた輸送容器（１００）からのパネル状態信号（１２５−ｉ）の符号（１４５）を受信するように適応され、
前記パネル状態信号（１２５−ｉ）は、前記物品位置（１０４）での物品の温度に影響を与える前記真空断熱パネル（１２０−ｉ）の少なくとも１つの物理特性に対する測定値（Ｖｉｊ）に対応し、
前記方法（８００）は、
前記パネル状態信号の前記符号（１４５）の標本を受信するステップ（８１０）と、
・前記輸送容器（１００）の運用状態が標準機能状態（ＮＯＲＭＡＬ−ＦＵＮＣＴＩＯＮ＊）であることを決定するための第１則（Ｒ１）、
・前記真空断熱パネルに関する事象の発生を検出すると前記輸送容器（１００）の前記運用状態が前故障状態であると決定するための第２則（Ｒ２）、
・前記真空断熱パネルの事象から前記特定の物品位置（１０４）での予め規定された状態までの時間間隔が伸びて、時間間隔（Ｔ  ＬＩＭＩＴ）が経過したときに状態値の表示を故障状態（ＦＡＩＬＵＲＥ＊）にセットすることを確定する第３則（Ｒ３）を用いて、
予め規定された規則（Ｒ１、Ｒ２、Ｒ３、Ｒ４）の組合せに従って前記輸送容器（１００）の少なくとも１つの前記運用状態の状態値を測定するステップ（８２０）と、
その状態値の表現（ＮＯＲＭＡＬ−ＵＦＮＣＴＩＯＮ＊、ＰＲＥ−ＦＡＩＬＵＲＥ−ＦＵＮＣＴＩＯＮ＊、ＦＡＩＬＵＲＥ＊）を記憶するステップ（８３０）とを備えた、方法。
【発明の詳細な説明】
【技術分野】
【０００１】
本発明は、概して、温度感受性物品のための容器のように、所定の状態で物品を輸送するための容器に関する。より具体的には、遠隔監視（surveillance）又は監視（monitoring）のもとでの条件に適した輸送容器に関する。
【背景技術】
【０００２】
対象物固有の時間間隔での地理的位置間の物品の輸送は、物流としてよく知られている。効率の理由から、輸送には、輸送連鎖中に、道路車両や鉄道車両、船舶、航空機、又は自転車さえも含む種々の車両を用いると共に倉庫のような種々の中間貯蔵設備を用いた多モードアプローチが極めてしばしば用いられる。確立した物流システムは、ある種の物品に専門化される。その物品は、一般的に、目的地への到着の上で果たすべき機能を有する。しかしながら、実質的に、上記車両及び上記貯蔵設備などの上記連鎖の全ての要素は、また、上記物品がその機能を失うという潜在的な危機の原因となる。この危機は、しばしば、輸送中の環境条件に関連する。
【０００３】
このような及び他の危機に対応するために、送り主は、対象物固有の容器内に物品を封入する。上記目的地では、受取人は、上記物品がその機能を維持しているかどうかのしるしを得るために、上記容器の状態をチェックする。この状態のチェックは、輸送中の特定の環境条件を見ることを含むことができる。上記容器は、受取人がこのチェックを実行するのを支援する補助的な要素を有することができる。
【０００４】
周知の例として、郵送システムは、手紙又はその他の物品を輸送する物流システムである。この手紙は、権限のない読み手への露見、汚れ、湿気といった典型的な危機から守る封筒内に封入される。上記連鎖の終わりでは、郵便配達人はその手紙を受取人に手渡しし、受取人は、封筒を調べると共に、例えば、その手紙が権限のない読み手に露見されていないかどうかを見極める。ここでの支援に、封ろうは伝統的に用いられる。その手紙上又はその封筒上のメタ情報（日付又は時刻のスタンプ）は、典型的な時間間隔内で、その輸送が生じたかどうかを受取人がチェックするのを手助けする。
【０００５】
更なる例では、薬は、製造業者から（又は流通業者から）薬店に輸送されなければならない。そこには、過激な温度によって幾つかの薬が機能を損なうおそれがある。もし、輸送中の温度が許容範囲を超えると（又は超えたら）、その薬は、もはや患者に投与することができない。上記容器は断熱材料を備えることができ、また上記連鎖中の要素（例えば車両及び貯蔵所）を、その特定の目的に対して適応させることができる。
【０００６】
しかしながら、より洗練された例では、上記物流の要求は、更に一層、厳しい場合がある。物品が医薬製品である場合、それは特定の患者に投与するために、（位置Ａ又は初期位置の）製造業者又は流通業者から（位置Ｂ又は目的位置の）特定の病院に輸送されなければならない。地球上の、又は例えば、欧州のＡからアジアのＢまでの旅は、ありふれたことである。しばしば、こうした製品は特定の患者のために特注され、それ故に、ピルなどのように有用なものの中に詰め込まれていない。この、及び、その他の理由のために、その物質は、著しく高い、又は著しく低い温度のような環境条件に著しく敏感な場合がある。
【０００７】
物流の要求は、環境条件を考慮することによって引き出すことができる。この要求は、技術的な要求である。こうした技術的な要求は、一般的に、標準的な記録で、物流を左右する温度に対する詳細中に、又はその他の書類に要約される。例えば、「Ｇｕｉｄｅｌｉｎｅｓ  ｏｆ  ５  Ｎｏｖｅｍｂｅｒ  ２０１３  ｏｎ  Ｇｏｏｄ  Ｄｉｓｔｒｉｂｕｔｉｏｎ  Ｐｒａｃｔｉｃｅ  ｏｆ  ｍｅｄｉｃａｌ  ｐｒｏｄｕｃｔｓ  ｆｏｒ  ｈｕｍａｎ  ｕｓｅ」（２０１３／Ｃ  ３４３／０１  Ｏｆｆｉｃｉａｌ  Ｊｏｕｒｎａｌ  ｏｆ  ｔｈｅ  Ｅｕｒｏｐｅａｎ  Ｕｎｉｏｎ，  ｄａｔｅｄ  ２３．  Ｎｏｖｅｍｂｅｒ  ２０１３）内の概要が利用可能である。
【０００８】
例えば、温度が管理された物流では、温度状態は、輸送中、許容限界内に維持されるべきである。例えば、そこには、輸送中常時、物品を最大温度（ΘＭＡＸ、上限）より低く且つ最小温度（ΘＭＩＮ、下限）より高く維持する必要がある。例えば、物品の温度は、−２５℃と−１５℃の間、＋２℃と＋８℃の間、又は＋１５℃と＋２５℃の間の最小／最大範囲内にあることが必要である。他の温度範囲も可能である。物流では、要求は、時折、「コールドチェーン」、「温度管理物流」などといった用語で要約される。
【０００９】
上記物品の温度は、しばしば、容器の周辺温度よりも低い。従って、物品の冷却が要求される。
【００１０】
上記容器は、断熱壁を有する函体とすることができる。この断熱壁は、真空断熱パネル（ＶＩＰ、真空断熱された板又はパネル）で構成することができる。この容器は、センサを含むことができる。容器及びＶＩＰ用の例として、ＷＯ２００９／０１９２５１Ａ１（温度測定要素を伴う）、ＷＯ２０１５／１３５６５６Ａ１、ＤＥ  １０  ２００４  ０５０５４９Ａ１、及びＤＥ  １０１  ５９  ５１８Ａ１（板内の空気圧を規定するセンサを伴う）の中の複数の記述に説明される。測定値を提供するために、これらのセンサは、読取装置と物理的な接続を必要とする。
【００１１】
ＶＩＰのような複合体は、断熱にますます多く使用される。より小さい熱伝導率により、ＶＩＰは、通常の断熱材料を上回る有利を有する。独立気泡ＰＵＲ硬質発泡材料との比較においては、圧倒的に、３〜７倍のエネルギー節約能力を有し得る。一般的に、ＶＩＰは、耐真空封入容器内に詰め込まれた断熱コア材料を有する。この封入容器は、通常、箔又は膜からなる。この包みは、真空引きされ且つ気密に密封される。通常、この真空は、１００ｍｂａｒより低い。このコアの構造又は空隙率といったパラメータは考慮されるべきであるが、ＶＩＰの熱伝導率は１０ｍＷ／ｍ＊Ｋ未満に達し得る。
【００１２】
このコアは、ヒュームドシリカ又はグラスファイバーからなる板材で構成され得る。それはまた、硬質発泡体又はキセロゲルを使用することができる。これらの材料は、固有の安定性を有するだけでなく、必要な発泡体の適用をも許容する。しばしば用いられるポリウレタン（ＰＵＲ）発泡体、又は、ポリイソシアヌレート発泡体の他に、エアロゲルが同様に使用可能である。エアロゲルは、真空引きが適用されなくとも、確かな断熱性を示す。真空断熱要素に適した複合要素の製造方法は、２０１６年３月３１日発行のＷＯ２０１６／０４６１７２中に説明される。
【００１３】
この複合要素は機械的に安定しているべきであるが、上記包みも同様に安定している必要がある。この包みの機械的なダメージは、上記真空を壊す。結果として、グラスファイバー又はヒュームドシリカからなるコア材料に対しては特にまさしく、上記複合要素は機械的安定性を損なうと共に、その断熱性効率が悪くなる。
【００１４】
上記ＶＩＰの所謂性能は重要である。分かりやすくいうと、真空を伴わないＶＩＰは、熱を上記函体内に入り込ませ（又は上記函体から熱を出させ）、その結果、しばらくすると、上記物品の温度は上記上限を上回る（又は上記下限を下回る）。何れの場合も、上記温度からの逸脱は、（物品の）機能を壊す。
【発明の概要】
【発明が解決しようとする課題】
【００１５】
しかしながら、上記センサは、上記輸送容器が上記目的地に到着した後で上記ＶＩＰ性能の測定を許容するだけである。これは、前述した物理的接続の結果である。離れての測定は不可能であり、また測定結果は事後にしか得られない。この測定に基づく場合、物品はついには壊れかねない。その時点では、代わりの製品の注文が遅すぎるかもしれない。
【課題を解決するための手段】
【００１６】
到着に先んじた、上記ＶＩＰの性能の測定及び上記容器の状態のチェックが可能となる。本発明の実施の形態に従って、輸送容器は、ＶＩＰを備えると共にＶＩＰにおけるセンサを備えるだけでなく、パネル状態信号（ＰＣＳ）を遠隔サーバコンピュータに送るための伝送ユニットをも備える。これは、上記状態の及びＶＩＰ性能の継続的な監視（surveillance）及び監視（monitoring）を可能とする。この容器の状態は遠隔的に測定され、また上記遠隔サーバは、輸送中の全ての時間、実質的に、上記条件及び上記状態の表現を維持することができる。換言すれば、このアプローチは、容器の位置とは独立して、上記ＶＩＰ性能の即時追跡を可能とする。
【００１７】
この輸送容器は、医薬製品のような熱敏感性物品を内部に挿入可能な物品位置を有する。換言すれば、この物品位置は、物品を受け入れるように適応される。この物品位置は、少なくとも１つのＶＩＰによって容器の周囲に対して断熱される。内部ガス圧力のような上記ＶＩＰの物理特性は、物品の温度に影響を与える。温度相関特性は、熱力学方程式の適用によって、及び／又は、経験的データの適用によって、予め決定及び推定することができる。
【００１８】
この温度相関特性は、事象の発生と、また、その事象との時間間隔と合わせて簡易化することができる。第１の事象−上記ＶＩＰの事象−は、上記ＶＩＰ内部の空気圧力の変化のような、物理特性の変化を指す。第２の事象−上記物品の事象−は、上記温度が閾値を上回る又は下回るといった、上記物品位置の状態を指す。
【００１９】
上記ＶＩＰ事象は上記物品事象をもたらす。複数のＶＩＰ事象が１つのＶＩＰに対して又は複数のＶＩＰに対して組合わせて発生する場合、それら複数のＶＩＰ事象の発生は、通常、事象間の時間間隔を短縮する。
【００２０】
上記事象の発生に依存して、上記輸送容器は、以下の運用状態を有する。この容器は、上記物品事象までＦＵＮＣＴＩＯＮ（機能状態）にあり、また、この容器は、上記物品事象からＦＡＩＬＵＲＥ（故障状態）にある。もし、少なくとも１つのＶＩＰ事象が発生するか、又は発生したら、この容器はＰＲＥ−ＦＡＩＬＵＲＥ（前故障状態）である。
【００２１】
輸送の間に、上記ＶＩＰの物理特性が変化する可能性があり、その結果として上記事象が発生し得る。−少なくとも−幾つかのＶＩＰ事象の検出を支援するために、上記輸送容器は、それらＶＩＰの物理特性を測定し且つ上記遠隔サーバコンピュータへの上記ＰＣＳの発信を可能とする装置を備える。
【００２２】
上記輸送容器内の装置は、上記ＶＩＰ内に埋設されて上記ＰＣＳを提供するセンサユニット、上記ＶＩＰにおける小範囲伝送ユニット（又は複数のＶＩＰにおける複数のユニット）、及び、上記容器における長距離伝送ユニットである。
【００２３】
上記遠隔サーバコンピュータは、（上記ＶＩＰからの）ＰＣＳを処理し、現在進行中の処理における予め規定された複数の規則に従って上記輸送容器の状態を測定する。この遠隔サーバコンピュータは、その状態の表現を時間と共に記憶する。この予め規定された複数の規則は、前述の温度相関特性に従って組み立てられる。
【００２４】
より詳細には、上記センサユニットは、測定された上記物理特性に応じたＰＣＳを提供する。ＶＩＰからは、上記小範囲伝送ユニットが上記ＰＣＳを上記第１符号で発信する。上記容器内では、上記長距離伝送ユニットが上記第１符号のＰＣＳを受信すると共に、そのＰＣＳを第２符号で通信網に伝送する。この通信網は、上記ＰＣＳを上記遠隔サーバコンピュータに第２符号で発信する。
【００２５】
こうしたアプローチは、輸送に関わる人々やその他の存在にとって有利となり得る。ほんの僅かな例として以下が挙げられる。
【００２６】
（ａ）上記予め規定された規則の組立は、上記遠隔コンピュータを操作する人、通常は送り主の信頼感に残る。
【００２７】
（ｂ）もし、（上記長距離伝送装置から上記遠隔サーバコンピュータへのＰＣＳの）伝送間隔が適切に選択されるならば、ＰＲＥ−ＦＡＩＬＵＲＥ（前故障）状態の決定は、修正行動のきっかけになり得る。このような行動は、輸送の終了を通して物品がその機能を保持するような物品の救済を含み得る。例えば、運搬者は、その輸送を短く中断することができると共に、欠陥のあるＶＩＰを交換することができる。換言すれば、その容器が故障する前に、壊れたＶＩＰを置換することができる。こうした行動の実行は、サービスポイントのように、温度管理されたクリーンルームの有効性、上記容器のより低い温度への調整又は冷却の可能性、訓練されたスタッフの有効性、その他に従った、特定の条件下の予め規定された位置に限定することができる。病院や研究所は、サービスポイントとして適格であろう。この行動が成功裏に実行された場合、上記受取人−上記患者を含む−は、最小の遅れで、又は遅滞なく、医薬製品を受け取る。
【００２８】
（ｃ）もし、（物品が既に壊れたことに対して）ＦＡＩＬＵＲＥ（故障）が決定されたとしても、上記送り主は取り替えた物品を伴う新しい容器をすぐに発送することができる。これは、潜在的に、患者の命を救う。
【００２９】
（ｄ）（容器と遠隔サーバコンピュータの間の）即時伝送を伴う組合せ内でのデータ収集及びデータ処理（容器内でのＰＣＳ測定及び上記遠隔サーバコンピュータ内での規則適用）の分離によって、上記状態の決定を改変しようとする認証されていない試みは困難になる。
【００３０】
上記長距離伝送ユニットから上記遠隔サーバコンピュータへのＰＣＳの後続の伝送との時間間隔−即ち伝送間隔に依存して、その伝送は２つの選択肢に識別される。第１の選択肢では、伝送間隔は、実質的に、変化しないままであると共に、予め規定された継続時間を有する−その伝送は周期的な伝送とみなせる。第２の選択肢では、伝送間隔は、後続の伝送との間で最大継続時間として規定される。この第２の選択肢は、区分のない伝送とみなせる。
【００３１】
更に、受動的に冷却される容器の構想は変化しないままであることを意味する。上記ＶＩＰ（及び容器）の性能チェックは、そのＶＩＰ及び容器が更なる輸送のために再利用されるように実行される。
【００３２】
複数の関係者の意思疎通が増進され得る。上記容器の送り主は、彼又は彼女が実際にその容器を見ない場合でも、一団の容器内の上記ＶＩＰの視覚的表現を検査するコンピュータユーザになる。この場合、表現は、上記遠隔サーバコンピュータからのデータに基づく。物流に勤める人は、携帯機器（例えばスマートフォン）のユーザとなることができ、彼又は彼女は、状態情報及び行動推奨を読むことができると共に、前述の修正行動を含む上記行動を身体的に行う。上記受取人は、輸送に関する付加的な情報が与えられる。もし、上記容器が新たな輸送サイクルに再利用されるならば、その新たな送り主は、将来、故障しそうなＶＩＰを前もって置換することができる。換言すれば、時間と共に収集されたデータは、上記容器のメンテナンスの予測に寄与する。
【００３３】
上記ＶＩＰ材料の選択は、種々の技術パラメータに影響を与える。このパラメータは、上記容器内のＰＣＳの伝送、上記輸送容器外のＰＣＳの伝送、及び上記遠隔サーバコンピュータ内の規則に基づく処理に関連する。高い性能を有する材料（即ち、高性能クラスの材料）を伴うＶＩＰに対して、上記伝送及び処理に要するエネルギーが少なく、且つ、故障の場合、修理行動が簡易であるという有利になり得る。
【００３４】
異なるＶＩＰ材料を伴う複数の容器の併存が可能である。結果として、それらの上記技術パラメータは区別されなければならない。こうした区別のためのコンピュータのオーバヘッドを低く保持するために、上記ＶＩＰを、随意的に、材料クラス（即ち材料性能クラス）に分類する（又は割り当てる）ことができ、また上記輸送容器を、随意的に、材料種類に分ける（又は割り当てる）ことができる。従って、上記ＰＣＳを伝送又は処理するユニットでは、上記材料−パラメータ相関は、上記クラス（又は上記種類）を示すデータ構造によって表される。
【００３５】
本発明は、上記容器だけでなく、上記輸送容器の操作方法及び上記遠隔サーバコンピュータの操作方法にも関し、同様に、コンピュータプログラム製品に関する。コンピュータによって少なくとも部分的に実行される方法のような、コンピュータ実装方法ステップの態様もある。
【図面の簡単な説明】
【００３６】
【図１】図１は、物品を輸送するための輸送容器の側面図を図示し、その図示される容器は、真空断熱パネル（ＶＩＰ）、センサ−伝送器配列及び伝送ユニットを有する。
【図２】図２は、複数のＶＩＰ及び複数のセンサ−伝送器配列を有する上記輸送容器を図示する。
【図３】図３は、遠隔サーバと通信する上記輸送容器のブロック図表を図示する。
【図４】図４は、輸送中の上記輸送容器の使用シナリオを図示する。
【図５Ａ】図５Ａは、異なる材料を使用するＶＩＰに対する上記断熱の簡易な時間図表を図示する。
【図５Ｂ】図５Ｂは、上下限内の上記物品温度、ＶＩＰ内の圧力、及び上記輸送容器の状態値の時間図表を図示する。
【図５Ｃ】図５Ｃは、上下限内の上記物品温度、ＶＩＰ内の圧力、及び上記輸送容器の状態値の時間図表を図示する。
【図６】図６は、上記遠隔サーバによるデータ処理を図示する。
【図７】図７は、輸送容器操作方法のフローチャート図表を図示する。
【図８】図８は、遠隔サーバコンピュータの操作方法のフローチャート図表を図示する。
【図９】図９は、ここに記述される技術が用いられ得た統括的なコンピュータ装置及び統括的な携帯コンピュータ機器の一例を図示する。
【図１０】図１０は、異なる材料のＶＩＰ置換の影響を説明するための方法のフローチャート図表を図示する。
【発明を実施するための形態】
【００３７】
＜約束事の記載＞
記述は、約束事の記載の紹介によって始まる。小文字の“ｔ”は時点を表し、大文字の“Ｔ”は、２つの時点間の時間間隔（即ち継続時間）を表し、また“Θ”は、セ氏温度℃における温度を表す。添え字“ｉ”及び“ｊ”は、複数で使用可能な、特定の要素を表す。添え字“ｉ”は、複数Ｎの構造要素を表し、また添え字“ｊ”は複数の物理特性を表す。用語「容器」は、包み（packages）、包み（parcels）、函体、ボール箱などといった、輸送又は貯蔵のための用具を表す。用語「配列」は、２つのユニットの組合せ、例えばセンサユニットと伝送ユニットの組合せを表す。上記容器の状態値は、ＦＵＮＣＴＩＯＮ（機能）のような大文字の文言で与えられ、コンピュータデータとしての表現を有する状態値は、ＦＵＮＣＴＩＯＮ＊のような、アスタリスクを加えた大文字の文言で与えられる。材料クラス及び容器の種類は、＃１、＃２などによって示される。
【００３８】
＜ＶＩＰを有する容器＞
図１は、物品を輸送するための輸送容器１００の側面図を図示する。外側から内側を見ると、輸送容器１００は、封入容器１０１、少なくとも１つの真空断熱パネル（以下、ＶＩＰ）１０２−ｉ、及び（随意に）温度保存ユニット１０３−ｉを備える。これらの要素の組合せによって物品位置１０４が規定される。
【００３９】
封入容器１０１は、プラスチック、ボール紙又は紙、金属、複合材料、発泡ポリプロピレン（ＥＰＰ）、発泡スチロール（ＥＰＳ）などといった、種々の材料を、単独で又は組合わせて構成することができる。
【００４０】
ＶＩＰ１０２−ｉは、種々の材料（「ＶＩＰ材料」）で構成することができ、その材料は、上記コアの材料と上記箔（又は膜）の材料で区別される。このコア材料を最初に検討する。このコア材料は、ポリウレタン（ＰＵ）又はＥＰＳといった材料とすることができる。例えば、ドイツ国ルートヴィヒスハーフェン  ＢＡＳＦ  ＳＥ社製のＳＬＥＮＴＩＴＥといった、高性能断熱材料が市販される。
【００４１】
このＶＩＰ材料の選択は、複数の技術パラメータに影響を与えるので、ここでの記述はまた、更なる材料との間で区別される。ここで使用されるように、
（ａ）“ＶＩＰ−ＰＵ／ＥＰＳ”は、上記コアにＰＵを使用して及び／又はＥＰＳを使用して作られたＶＩＰ１０２−ｉを表し、
（ｂ１）“有機エアロゲルを有するＶＩＰ”（又は“ＶＩＰ−ＯＡＧ”）は、上記コアに有機エアロゲルを使用して作られたＶＩＰ１０２−ｉを表し、また
（ｂ２）“ＷＩＥＧＭＡＮＮらの有機エアロゲルを有するＶＩＰ”（又は“ＶＩＰ−ＯＡＧ−Ｗ”）は、前述の国際公開公報ＷＯ２０１６／０４６１７２Ａ２中に説明される複合材料製造方法に従って作られたコア材料を有する。より詳細には、上記公報は、１０頁３２行から１１ページ６行に上記製造方法を記述する。この公報はまた、有機エアロゲル、有機キセロゲル、又は有機硬質発泡体となり得る、上記真空引き可能な有機材料（公報中では“ｅｖａｋｕｉｅｒｂａｒｅｓ  ｏｒｇａｎｉｓｃｈｅｓ  Ｍａｔｅｒｉａｌ”）を説明する。これはまた、前述の国際公開公報ＷＯ２０１６／０４６１７２Ａ２の方法請求項７に要約される。このＶＩＰは、有機エアロゲルである真空引き可能な有機材料からなる。（その公報に記述される）上記有機エアロゲルはまた、“Ｗｉｅｇｍａｎｎエアロゲル”とも呼ばれる。
【００４２】
（ｂ３）“ＶＩＰ−ＯＡＧ−Ｗ３”は、上記国際公開公報の１４−１５ページの例３に従って製造された上記エアロゲルからなるＶＩＰ−ＯＡＧ−Ｗを表す。
【００４３】
上記箔材料を以下に検討する。当業者は、適切な箔を選択することができる。この箔は、単層の箔とすることもできるし、（同一材料の又は異なる材料の）複層の箔とすることもできる。前述の国際公開公報ＷＯ２０１６／０４６１７２Ａ２中の箔材料の記述が使用可能である。例えば、この箔は、金属化ポリマー箔とすることもできるし、又は金属化されていないポリマー箔とすることもできる。それらには、ガス透過性又は水蒸気拡散性のような特性の相違がある。
【００４４】
コア材料及び箔材料間の如何なる組合せも可能である。ＶＩＰ−ＯＡＧ、ＶＩＰ−ＯＡＧ−Ｗ、ＶＩＰ−ＯＡＧ−Ｗ３に関しては、たとえ真空が壊れても、コアの箔封入容器又は膜封入容器はコアに付着して残ることを意味する。これは、ＶＩＰの断熱提供能力を改善する。
【００４５】
コア及び箔材料の異なる選択及び組合せは、ＶＩＰの性能に質的相違をもたらす。従って、（材料性能クラスへの）材料分類は、材料クラス＃１＃２＃３他として導入される。この記述は、図５Ａと関連して検討されるように、性能の増加を意味する増加クラス番号（又は分類番号）を用いる。材料クラス＃２内のＶＩＰは、材料クラス＃１内のＶＩＰよりもよりよい性能を有する。
【００４６】
このＶＩＰの性能は、上記箔が損傷した（そのＶＩＰ内の上記真空がなくなる）場合でさえ、有効なままであるから、上記分類はパネル材料に重点を置くことができる。換言すれば、上記パネル材料は、上記箔材料よりも上記クラスに対して、より影響力を有し得る。
【００４７】
上記材料クラスは、材料間の相違を表すが、それらは、材料の絶対的化学成分を必ずしも表すものではない。ほんの一例として、また箔材料を無視して、ＶＩＰ−ＰＵ／ＥＰＳはクラス＃１に、ＶＩＰ−ＯＡＧはクラス＃２に、ＶＩＰ−ＯＡＧ−Ｗはクラス＃３に、ＶＩＰ−ＯＡＧ−Ｗ３はクラス＃４に割り当てることができる。
【００４８】
受動冷却のための温度保存ユニット１０３−ｉは、随意的に設けられる。例えば、温度保存ユニット１０３は、ドライアイスのような冷却材料を有し、又は相変化材料（ＰＣＭ）を有する。ＰＣＭは、大量のエネルギーを貯蔵及び放出する能力を有する、融解熱の高い物質である。この材料が固体から液体に変わるときに熱量が吸収され、その結果、冷却効果につながる。輸送されるべき物品に依存して、代わりに加熱材料を用いることもできる。
【００４９】
物品位置１０４は、物品が内部に配置又は挿入される製品収納空間である。ＶＩＰ１０２−ｉ（及び随意的にユニット１０３−ｉ）は、物品位置１０４を熱的に遮断する。封入容器１０１を通して更なる断熱を得ることができる。
【００５０】
容器１００には、物品を挿入するための、及び、物品を取り出すための蓋が設けられる。輸送中、この蓋は閉じたままである。
【００５１】
封入容器１０１、ＶＩＰ１０２、温度保存ユニット１０３、及び位置１０４を伴って、容器は、前述のＷＯ２００９／０１９２５１Ａ１に記載の容器のような、当技術分野で周知の容器に一致されるだろう。
【００５２】
＜容器及びパネル状態信号ＰＣＳ＞
しかしながら、本発明に係る容器１００は、更に、センサユニット１２０−ｉ、短距離伝送ユニット１３０−ｉ、及び長距離伝送ユニット１４０を備える。長距離伝送ユニット１４０は、容器１００の内側又は外側に配置することができ、伝送ユニット１４０は、例えば、封入容器１０１上に架設されることによって、封入容器１０１に組み付けることもできる。センサユニット１２０−ｉ及び短距離伝送ユニット１３０−ｉは１つの装置に統合することができるので、それらは、センサ−伝送器配列１２０−ｉ／１３０−ｉとひとまとめに呼ばれる。用語「短距離」は、容器１００の内部（ユニット１３０−ｉ及びユニット１４０間）の通信を指し、また用語「長距離」は、容器１００の外部に位置する受信器との通信を指す。通信システム（図３、４のシステム２０２参照）の一部として、上記受信器は、基地局（ＢＳ）、無線局所領域（ＷＬＡＮ）局、携帯機器、輸送システムにおける信号読取器（例えば、ＲＦＩＤ読取器）などであってよい。
【００５３】
破線の矢印で図示するように、パネル状態信号（ＰＣＳ）は、配列１２０−ｉ／１３０−ｉからユニット１４０に向けて提供される。図３−４と関連してより詳細に説明されるであろうように、このＰＣＳは、その後、上記信号受信器及び遠隔サーバコンピュータに向かう。
【００５４】
＜複数のＶＩＰ、ベクトルＰＣＳを有する容器＞
図２は、複数のＶＩＰ及び複数のセンサ−伝送器配列１２０−ｉ／１３０−ｉを有する輸送容器１００を図示する。ＶＩＰ１０２−ｉ及びセンサ−伝送器配列１２０−ｉ／１３０−ｉは、容器のＮ個の面上に使用可能とすることができる。この例では、容器１００はＮ＝６面を有する直方体である。異なる個数のＶＩＰの使用が可能である。例えば、位置１０４は、上記個数Ｎがより大きくなるように、ＶＩＰによって分割することができる。それら全てのＶＩＰが同じ大きさである必要はない。それは、１個の長距離伝送ユニット１４０で十分であることを意味する。
【００５５】
当業者は、異なるＶＩＰを識別することができると共に、短距離伝送ユニット１３０−ｉと長距離伝送ユニット１４０の間の通信にパネル識別を設けることができる。連番化、多重化、暗号化、識別化、選択、フィルタリングといった技術が使用可能である。上記ＰＣＳ（矢印記号）はＮ個のＶＩＰのＰＣＳに対するベクトルであると考えられる。
【００５６】
複数の輸送容器１００が同一の車両で輸送されるか、又は同一の地域に貯蔵されることが好ましい。近隣の容器の短距離伝送器間の寄生性の相互作用を防止するために、当業者は、例えば、遮蔽を設けることによって、及び／又は、固有の装置識別子を設けることによって、方策を施すことができる。
【００５７】
＜容器及びサーバ−上記ＰＣＳから状態表現へ＞
図３は、遠隔サーバコンピュータ２００（以下、サーバ２００）と通信する輸送容器１００のブロック図表を図示する。この図はまた、それらのユニットに対する、特に上記ＰＣＳを提供するユニットに対する構造的及び機能的詳細を図示する。
【００５８】
輸送容器１００は、運用状態Ｓを有するが、状態値を表現するデータは、上記パネル状態信号（ＰＣＳ）を処理することにより、サーバ２００によって決定される。このＰＣＳは、容器１００から通信網２０２を通じて通信される。サーバ２００は、運用状態Ｓの表現値Ｓ＊を記憶する。
【００５９】
物品位置１０４の温度は、（輸送容器１００の）上記運用状態Ｓで示される。物品１０５（例えば医薬製品）の温度は、上記物品位置１０４の温度と実質的に同じであるとみなすことができる。従って、以下では、用語“Θ  ＯＢＪＥＣＴ”は、上記物品温度及び上記位置温度に対して共通して用いられる。
【００６０】
容器１００の運用状態Ｓは、上記物品温度Θ  ＯＢＪＥＣＴが予め規定された温度範囲（ΘＭＩＮ、ΘＭＡＸ）内に留まる間の第１状態値も、記物品温度Θ  ＯＢＪＥＣＴが予め規定された温度範囲（ΘＭＩＮ、ΘＭＡＸ）から外れた時の第２状態値も受け入れる、少なくとも２つの状態とすることができる。この第１状態値は容器１００のＦＵＮＣＴＩＯＮ（機能）を表し、第２の状態値は容器１００のＦＡＩＬＵＲＥ（故障）を表す。状態の推移は一方向、即ちＦＵＮＣＴＩＯＮからＦＡＩＬＵＲＥのみが許容される。換言すれば、一旦、容器が故障すると、それがＦＵＮＣＴＩＯＮに復帰することはできない。物品１０５が医薬製品である場合、それは、患者への投与に対する機能を失い、破砕されなければならない。
【００６１】
上記一方向の状態推移はまた、サーバ２００内で実行される。この一方向のアプローチの唯一の除外は、容器１００が異なる物品を再装備したとき（図４の相０参照）に初期化される。サーバ２００は、容器１００から通信網２０２を通じて受信した上記ＰＣＳ（及び随意的に他のデータ）を処理することにより、及び予め規定された規則の適用により、状態表現値Ｓ＊（即ちＦＵＮＣＴＩＯＮ＊又はＦＡＩＬＵＲＥ＊）を決定する。この規則は、前述の温度相関特性に基づく。それは、修正行動をとる（図４−５参照）ために、ＰＲＥ−ＦＡＩＬＵＲＥ（前故障）＊のような更なる状態値の使用が有利である。
【００６２】
＜上記ＰＣＳを提供するユニットについての詳細＞
図３の記述は、上記ＰＣＳを提供するユニットの記述によって継続する。
【００６３】
センサユニット１２０−ｉは、ＶＩＰ１０２−ｉに組付けられる。ＶＩＰ当たり少なくとも１つのセンサユニットを有することが有利になり得る。センサユニット１０２−ｉは、ＶＩＰ１０２−ｉの少なくとも１つの物理特性に対する測定値Ｖｉｊに応じたＰＣＳ−ｉを提供する。この物理特性は、上記物品温度Θ  ＯＢＪＥＣＴに影響を与える。幾つかの特性の変化は、ＶＩＰ事象の発生のしるしとなり得る。例えば、その事象の後、ＶＩＰは、もはや温度差を保持できない。この特性の変化は、特定の閾値を特性値が上回るか、又は、特定の閾値を下回ることで可能となる。同じ原理は、閾値を考慮した時間中の変化（変化率）に対しても適用する。例えば、突然の変化は事象を示し得る一方、ゆっくりとした変化は示し得ない。
【００６４】
以下は、幾つかの物理特性の検討である。この特性に依存して、センサユニット１２０−ｉは、
（１）ガス圧力センサ、
（２）伝導率センサ
（３）湿度センサ
（４）温度計
（５）振動センサ（即ちマイクロフォン）、又は他のセンサ
を備えることができる。
【００６５】
（１）絶対圧力（又は大気圧に対する圧力差）である上記ＶＩＰ−ｉ内部のガス圧力Ｐ（ｉ）は、ＶＩＰの性能に関する指標である。もし、例えば、ＶＩＰの表面の微小穿孔によって上記真空が消えるならば、そのＶＩＰは、有効な断熱性が遥かに少ない断熱パネルに成り下がる。圧力センサは当技術分野で周知である。ＤＥ  １０  ２００６  ０４２  ４２６  Ｂ４は、電気回路を開閉するによって信号を提供する圧力閾値に依存する圧力感応スイッチを説明する。ＷＯ２０１３／１１６８４３  Ａ１は、水蒸気のような酸化物質に晒された場合に導電率が変化する誘電幕を有するセンサを説明する。このセンサは、上記ＶＩＰの外部に配置された測定ヘッドとの組合せでＶＩＰの内部に配置されるディスク（例えばアルミニウム）及びフリース（又は他の柔軟な材料）の一片として実装することができる。圧力に依存して、このディスクが曲がり（又はその位置が変化し）、そして上記ヘッドがその曲がりを信号に変換する。
【００６６】
（２）上記ＶＩＰの導電率、又は上記ＶＩＰの熱導電率は、同様に、（事象の）指標となり得る。
【００６７】
（３）例えば、もしユニットの貯蔵温度が台無しになるか、又は漏れるならば、又は、もし容器１００が高温高湿空気内（例えば南国内）に置かれるならば、ＶＩＰの湿度は増大し得る。
【００６８】
（４）上記ＶＩＰの温度も、容器１００に何かが生じたこと、例えば容器１００が開かれたことを示すことができる。
【００６９】
（５）上記ＶＩＰの振動は、故障又は故障の可能性の増加を示すことができる。
【００７０】
当業者は、適切なセンサを選択することができる。それは、上記事象に次いで起きること、そのＶＩＰの廃棄を意味する。このセンサは、上記ＶＩＰを生き永らえさせる必要のない、使い捨てセンサとすることができる。
【００７１】
ＰＣＳ−ｉ内の測定値Ｖｉｊは、電気信号（例えば、電圧、電流）とすることができる。少なくとも１つの短距離伝送ユニット１３０−ｉは、輸送容器１００内部でのＰＣＳ−ｉの第１符号１３５−ｉの伝送に適応される。この第１符号は、上記ＰＣＳ−ｉのデジタル表現である。
【００７２】
短距離伝送ユニット１３０−ｉは、無線伝送器として実装することができる。ユニット１３０−ｉは、上記ＶＩＰの金属箔内に配置することができる。当業者は、その金属箔を通した伝送によってユニット１３０−ｉが通信する適切な周波数範囲を選択することができる。第１の例では、ユニット１３０−ｉは、無線自動識別（ＲＦＩＤ）伝送器（ＤＥ  １０２００６  ０４２  ４２６Ｂ４参照）として実装される。第２の例では、ユニット１３０−ｉは、無線局所領域網（ＷＬＡＮ、ＩＥＥＥ８０２．１１）内の通信のための無線ネットワークインターフェースコントローラ（ＷＮＩＣ）を有する局とも呼ばれるものとして実装される。第３の例では、ユニット１３０−ｉは、ＢＬＵＥＴＯＯＴＨ（ブルートゥース：登録商標）機器（Ｂｌｕｅｔｏｏｔｈ  Ｓｐｅｃｉａｌ  Ｉｎｔｅｒｅｓｔ  Ｇｒｏｕｐ法人）として実装される。
【００７３】
短距離伝送ユニット１３０−ｉはまた、上記長距離伝送ユニット１４０につながる電線として実装することもできる。
【００７４】
上記センサ−伝送器配列１２０−ｉ／１３０−ｉは、電気エネルギーを必要とするので、それらは、電源からの電気エネルギーを受け取るように適応される。当業者は、適切な電源を提供することができる。従って、以下の説明は、幾つかの例のみを挙げる。
【００７５】
電気二重層コンデンサは、容器１００が使用のために準備（図４の相０参照）された時点でロードすることができる。長距離伝送ユニット１４０の無線網は、無線様式でエネルギーを提供することができる。振動発生器は、運動エネルギー（輸送中の容器の動き）を電気エネルギーに変換する発生器である。ボタン電池や時計用電池のような電池を設けることができる。容器１００の周囲内の利用可能な無線網もまた、エネルギーを提供することが可能である。センサ−伝送器配列１２０−ｉ／１３０−ｉは、エネルギーの供給のため及び信号の伝送のために、長距離伝送ユニット１４０と有線で接続することが可能である。当業者は、上記エネルギー源を組合せることができる。
【００７６】
＜ＰＣＳ及び時間間隔＞
一実施の形態では、長距離伝送ユニット１４０は、短距離伝送ユニット１３０−ｉからの第１符号１３５−ｉを（周期的に又は区分なしに）受信し且つ遠隔サーバコンピュータ２００に第２符号１４５を伝送するように適応される。長距離伝送ユニット１４０は、第１符号１３５−ｉ（ｉ＝１〜Ｎ）を第２符号１４５に変換する。第２符号１４５は、第１符号１３５−ｉ（ｉ＝１〜Ｎ）のデジタル表現であり、従って、ＰＣＳ−ｉ（ｉ＝１〜Ｎ、全てのＶＩＰ）のデジタル表現でもある。上記周期及び間隔から見ると、長距離伝送ユニット１４０は、Ｔ  ＣＬＯＣＫ間隔で（第１符号の）上記ＰＣＳ−ｉを受信し、また最大継続時間Ｔ  ＳＡＭＰＬＥ（伝送間隔）を伴う間隔で上記第２符号を伝送する。換言すれば、第１符号１３５−ｉ及び第２符号１４５は、信号標本の連続である。上記伝送間隔Ｔ  ＳＡＭＰＬＥは、シナリオ（図５Ｂ）との連結でより詳細に説明されるだろう。Ｔ  ＣＬＯＣＫは、ＶＩＰの番号Ｎを適宜に考慮するように適応することができ、多くの場合、双方の間隔は、Ｔ  ＣＬＯＣＫ＜Ｔ  ＳＡＭＰＬＥの関係にある。
【００７７】
更なる実施の形態では、周期的な信号伝送は、前述の区分のない伝送によって置換することができる。その後、上記伝送間隔Ｔ  ＳＡＭＰＬＥは、伝送されるデータのない時間間隔になるだろう。
【００７８】
双方の場合で、Ｔ  ＳＡＭＰＬＥは、修正行動をとることが可能な即時監視に容器の監視がなるように選択される。
【００７９】
長距離伝送ユニット１４０は、携帯電話に基づく通信システム内での携帯局（ＭＳ）として実装することができる。上記容器は、異なる地理的領域内に輸送されるべきであるから、ＬＴＥ、ＧＳＭ（登録商標）／ＥＤＧＥ、ＵＭＴＳ／ＨＳＰＡ、ＣＤＭＡ、ＣＤＭＡ２０００及びその他に従うシステム内で全世界的に通信するマルチスタンダード機器としてそれを実装することは有利である。
【００８０】
上記ＶＩＰの状態に対するセンサの他に、当業者は、更なる状態信号を得るための更なるセンサを設けることができる。長距離伝送ユニット１４０は、それらの更なる状態信号を遠隔サーバ２００に同様に送信することができる。これは、物品１０５、物品位置１０４やその他の監視に加え、容器１００全体としての監視さえも許容する。
【００８１】
（更なる伝送ユニットを用いた）容器内通信が可能である。上記図は、物品１０５から長距離伝送ユニット１４０への上記物品状態信号（ＯＣＳ）を表す点線を伴う例としてこれを図示する。このＯＣＳは、物品の温度（Θ  ＯＢＪＥＣＴ）を表現することができる。
【００８２】
センサは、長距離伝送ユニット１４０と接続することができ、又は、その一部とすることができる。例えば、上記センサは、環境温度Θ  ＡＭＢＩＥＮＴに応じた、上記容器の外表面の温度を測定する温度計とすることができる。このセンサはまた、上記容器の地理的位置（地理的な経度と緯度、国、領域、市、通りなどの名称といった英数字識別子による位置の識別を伴う住所）を特定する位置ユニットとすることもできる。位置ユニットは、（全球測位システムＧＰＳ、ＧＬＯＮＡＳＳ、ＧＡＬＩＬＥＯ、ＢＥＩＤＯＵなどといった）全球測位衛星システムからの信号に即応させることができる。それは、例えば、もし、容器１００が車両の内部で輸送されており、しかしながら全時間でその位置を得る必要がないならば、輸送の全ての環境内で衛星信号が利用可能である必要のないことを意味する。こうしたセンサは、（スマートフォンとも呼ばれる）携帯機器内で使用可能である。ユーザインターフェースは、容器を扱う人からのデータを収集するためのセンサとして役立つだろう。
【００８３】
＜上記容器及びＰＣＳに対する使用シナリオ−標準的な輸送＞
図４は、輸送中の輸送容器の使用シナリオを図示する。図示の都合のために、輸送担体（又は配達するもの）に従って、また長距離伝送器１４０への通信の一片である長距離通信の第１要素（通信網２０２の一部）に従って区別される複数の相を伴って、相毎の輸送が図示される。輸送中、容器１００とサーバ２００は、同一物理的状況を維持するだろう。容器１００とサーバ２００の事象に対する応答性を図示するために、（相４での）輸送の終わりに向けて、説明はＶＩＰ事象を仮定する。この事象は、物品事象を抑制するための輸送予定の手短な改変をサーバ２００にもたらすだろう。修正行動の扱いを準備する特定の病院のようなサービスポイントへの容器の到達を要因として、少なくとも間接的に、サーバ２００は輸送予定に影響を与える。
【００８４】
初期の相−相０−では、物品は容器１００内に挿入される。特定の輸送のために、即ち特定の初期位置Ａから特定の目標位置Ｂへの特定の容器１００内の特定の物品１５０の輸送のためにデータが初期化される。輸送経路は事前に知ることができる。相０はまた、（全てのＶＩＰに対する）上記ＰＣＳ、随意的に上記ＯＣＳ（図３の１０６参照）、その輸送その他に関連するメタデータ（即ち、位置データ）のような、容器１００から受信してサーバ２００が収集し且つ記憶したデータの開始データ収集を表す。
【００８５】
輸送の相１では、容器１００は、車で輸送されている。長距離伝送ユニット１４０は、基地局ＢＳ１と共に携帯電話網２０２−１内で携帯局ＭＳとして動作する。その車が空港に向かうとき、長距離伝送ユニット１４０は、（少なくとも）上記ＰＣＳを、中断することなく、遠隔サーバ２００に送信する。
【００８６】
輸送の相２では、航空機の一部であるＷＬＡＮ局２０２−１ａと共に通信するＷＬＡＮユニットとして動作する長距離伝送ユニット１４０を伴って、容器１００は航空便で輸送されている（ＷＬＡＮ局２０２−１ａはゲートウエイとして作動する）。搭載された伝送器２０２−１ｂは、遠隔サーバコンピュータ２００と通信可能に組合された衛星利用システムと通信する。
【００８７】
上記航空機は、遠隔サーバコンピュータ２００との制限された通信を伴う容器位置に対する１つの例である。飛行中、その通信は、中断されるかもしれない。長距離伝送ユニット１４０は、ＰＣＳ（及びその他のデータ）を時間と共にバッファに格納し、且つ、衛星チャンネルが再び使用可能になった時点で、その信号を送信することができる。（バッファへの格納は、一般に使用可能であり、且つ、こうした状況に対して制限されない。バッファへの格納はまた、別の手段で、例えば搭載された伝送器２０２−１ｂによって実行することも可能である。）
【００８８】
＜使用シナリオ−危機を転換し、そして修正行動を伴う輸送＞
輸送の相３では、容器１００は、上記目標位置Ｂ付近の目的空港で貯蔵される。そこには、例えば乗降客の退去を待つといったような、多くの理由があり得る。長距離伝送ユニット１４０は、基地局ＢＳ３を有する携帯電話網２０２−３における携帯局ＭＳとして動作する。ＢＳ３は遠隔サーバコンピュータ２００と通信可能に組合され、また、その遠隔サーバ２００との通信は中断することなく続く。例として、相３は、極端な環境状態を表し、また容器１００は、南国で、航空機の外の太陽の下にあるかもしれない。税関の空調装置が故障しているかもしれない。より過酷な状況としては、容器が地上に落ちてＶＩＰの１つが漏れを生じるかもしれない。ＶＩＰの圧力値が閾値を上回り（ＶＩＰ事象）、そして容器１００がＦＵＮＣＴＩＯＮからＰＲＥ−ＦＡＩＬＵＲＥ状態になる。上記ＰＳＣは、そのＶＩＰの圧力値を含む。上記遠隔サーバ２００−予め規定された規則が適用された−は、その圧力の変化を評価し、そして（特定のＶＩＰに対する）上記ＶＩＰ事象の発生を検出する。その状態変化はまた、遠隔サーバ２００内でも（ＦＵＮＣＴＩＯＮ＊からＰＲＥ−ＦＡＩＬＵＲＥ＊へ）表現される。
【００８９】
輸送の相４では、容器１００は、再び、基地局ＢＳ４と共に携帯電話網２０２−４内で携帯局ＭＳとして動作する長距離伝送ユニット１４０を伴って、再び、車で輸送される。ＰＣＳは遠隔サーバ２００に送信されている。遠隔サーバ２００は、上記ＰＲＥ−ＦＡＩＬＵＲＥ状態を検出しているので、対策規則を適用し、まず容器１００の物理的位置（ここでは、目的空港から目標位置Ｂへの道路上）及び特定の取り扱い仲介者（ここでは、包みの運送者）を識別する。第２に、遠隔サーバ２００は、（通信システム２００又はその他を経て双方向矢印で示すように）その仲介者に指示メッセージを送信する。この指示メッセージは、予め規定されたテキスト部分から組立てることができる。遠隔サーバ２００はまた、上記空港病院に、特定の故障したＶＩＰを有する容器が正に到着しようとしていることを通知する。この通知は、更なるメッセージ内で連絡することもできる。その病院の職員は、上記特定のＶＩＰを交換することによって上記容器の修理に介入することができる。その病院の職員はまた、異なる容器内に上記物品を配置することもできる。その例として、必須の基礎知識に基づいて、上記容器を扱う人の役割に上記指示メッセージを適合することができる。
【００９０】
輸送の相４は、短時間、中断されるだろうが、上記物品は、危険ではないだろう。上記ＶＩＰ事象にも関わらず、上記物品事象は防止される。
【００９１】
図４の上記シナリオは簡易化され、また当業者は、遠隔サーバ２００を適宜プログラミングすることができる。それは、サーバ２００が、更なるサーバを含めた輸送後端システムの一部であり得ることを意味する。相３−４では、（相３で）ＶＩＰ事象が検出され、そして、すぐにではないが、適切な時間間隔内に（相４で）修正行動がとられている。この記述は、タイミングに重点を置き、これらの状況における説明を伴って継続する。
【００９２】
＜断熱に関する時間図表＞
図５Ａは、異なる材料を使用するＶＩＰに対する上記断熱（又は抵抗“Ｒ”）の簡易化された時間図表を図示する。断熱は、（メータケルビン当たりのミリワット：ｍＷ／ｍ＊Ｋで測定される）熱を伝導する材料の特性、周知の熱伝導性によって定量化することができる。その関係は相関を有し、高い熱伝導率は、より大きな断熱を示し、その逆も同様である。絶対値は、ここでは検討しないが、パネル事象（例えばパネル穿孔）の前後におけるＶＩＰ状態に対する断熱の相対的な変化は検討する。
【００９３】
グラフ５０１は、材料クラス＃１を使用するＶＩＰに対する断熱を示し、またグラフ５０２は、材料クラス＃２内のＶＩＰに対する断熱を示す。双方のＶＩＰ材料に対し、パネル事象（例えばＶＩＰの穿孔、垂直破線）は、割合は異なるが、断熱を最大値（Ｒｍａｘ、又は初期値）から最小値（Ｒｍｉｎ、又は最終値）まで低下する。クラス＃１内のＶＩＰは、クラス＃２内のＶＩＰよりも、その伝導率を早く失う（Ｔｄｒｏｐ１＜Ｔｄｒｏｐ２）。換言すれば、材料クラス＃２内のＶＩＰは、パネル事象に対してさえ、より優れた断熱保持を示す。初めに、材料クラス＃２内のＶＩＰは、材料クラス＃１内のＶＩＰ（即ちＲｍａｘ１）よりもより高い断熱（即ちＲｍａｘ２）を示す。この関係はまた、上記事象の後も変わらず残り、材料クラス＃２内のＶＩＰの上記（最終）断熱は、材料クラス＃１内のＶＩＰの上記（最終）断熱よりも、依然として高い（即ち、Ｒｍｉｎ２＞Ｒｍｉｎ１）。
【００９４】
先に識別した特定の材料を見ると、材料クラス＃１内のＶＩＰは“ＶＩＰ−ＰＵ／ＥＰＳ”とすることができ、また材料クラス＃２内のＶＩＰは“ＶＩＰ−有機エアロゲル”とすることができる。説明を簡易化するために、ここでは上記箔材料は検討しない。
【００９５】
より高い初期断熱Ｒｍａｘ、より高い最終断熱Ｒｍｉｎ、及び結果として上記より小さな低下率をもたらす材料クラス＃２内のＶＩＰは、材料クラス＃１内のＶＩＰを上回って有利である。これはまた、容器１００から遠隔コンピュータ２００へのデータの伝送に関するパラメータ（例えばＰＣＳ、伝送間隔）及び修正行動（パネル事象が検出された場合の容器の取り扱い）に関するパラメータ中の、他の複数の技術パラメータに影響を与える。
【００９６】
換言すれば、材料クラス＃１内の幾つかの又は全てのＶＩＰの材料クラス＃２内のＶＩＰへの置換による容器１００の格上げは、技術パラメータを変更することができる。このパラメータの変更は、（例えば上記伝送ユニット及び上記遠隔コンピュータの）エネルギー消費の総合的な低減に繋がり得る。こうした技術パラメータの更なる詳細が以下に説明される。
【００９７】
＜ＶＩＰ材料の種類及び容器の種類＞
図５Ａと関連して説明される上記原理は、材料クラス＃１、＃２、＃３他に適用されるだろう。換言すれば、上記ＶＩＰ材料が複数のクラスに分類されるのと同様に、上記輸送容器も分類される。説明を簡易化するために、クラス＃１内の容器は材料クラス＃１内のＶＩＰのみを含み、クラス＃２内の容器は材用クラス＃２内のＶＩＰのみを含み、同じように続く。当業者は、（＃１と＃２のような）異なるクラス内のＶＩＰを有する１つの輸送容器に対して、適切な中間種類を見出すことができる。規則の改変は、随意的に適用可能である。例えば、材料クラス＃２内の５つのＶＩＰと材料クラス＃１内の１つのＶＩＰを有する輸送容器は、やはり種類＃２の容器として分類されるだろう。
【００９８】
＜上記シナリオに関する時間図表＞
図５Ｂ及び５Ｃは、上下限値内の上記物品温度の、特定のＶＩＰ内の圧力の時間図表、及びサーバ２００によって表現される上記輸送容器の状態値＊を示す。説明を簡易化するために、この記述は、特定のＶＩＰの圧力からなる単一の物理特性のみを上記ＰＣＳが上記サーバに通信すると仮定する。実際の遂行では、温度及びその他の特性を監視することができる。図５Ｂ及び５Ｃは、材料クラス＃１を使用（図５Ｂ、例えばＶＩＰ−ＰＵ／ＥＰＳ）及び材料クラス＃２を使用（図５Ｃ、例えば有機エアロゲル）のように、ＶＩＰに対して異なる材料を仮定する。図５Ｂの以下の記述に対して、上記材料クラスは未だ関連性がない。
【００９９】
図では、時間は左から右に進行する。上から下に見て、図表は３つの部分を有する。
【０１００】
第１の部分では、この図表は、容器に属する物理特性及び時点ｔ０、ｔ１、その他での変化を示す。Θ  ＡＭＢＩＥＮＴは、容器１００の周囲環境の温度、例えば車、航空機の貨物室、又は−上記相３内のような−空調のない貯蔵領域の内部温度である。これは、図５Ｂ内では、最も高い温度として与えられる。Θ  ＡＭＢＩＥＮＴは、常時一定であると仮定する。ΘＭＡＸ及びΘＭＩＮは、温度範囲を規制する。Θ  ＯＢＪＥＣＴは、上記物品位置１０４（及び物品１０５）の温度である。圧力Ｐ１及びＰ２は、１つのＶＩＰ内のガス圧力の極値を表し、Ｐ１が真空を象徴し、Ｐ２は非真空を象徴する。
【０１０１】
第２の部分では、図表は、上記長距離伝送ユニット１４０の遠隔サーバ２００への（複数の）ＰＣＳの送信を象徴する垂直線を用いる。これらの線は、全ての時間に亘って一定のＴ  ＳＡＭＰＬＥで象徴される等間隔（この例における周期的伝送）で図示されている。再び、この図は簡素化されており、Ｔ  ＳＡＭＰＬＥは変更することができ、そして上記通信は中断することができる（図４の相２における航空機参照）。
【０１０２】
第３の部分では、上記サーバ内における状態値の表現を示す広い矢印を用いる。このサーバは、ＦＵＮＣＴＩＯＮ＊とＦＡＩＬＵＲＥ＊を識別し、更にＮＯＲＭＡＬ−ＦＵＮＣＴＩＯＮ＊とＰＲＥ−ＦＡＩＬＵＲＥ−ＦＵＮＣＴＩＯＮ＊を区別する。
【０１０３】
このサーバは、前述の温度相関特性に従って構築された規則を適用する。この相関は、上記ＶＩＰ事象と物品事象の間のような、事象間の予期された時間を含む。特定の例では、この相関は、ＶＩＰ事象として上記真空の破壊を選び、且つ物品事象としてΘＭＡＸへのΘ  ＯＢＪＥＣＴの増加を選ぶ。特定の雰囲気温度（例えば、最悪の場合推定５０℃）のような、更なる状況が考えられる。この相関は、不当な負担なく、５０℃の人口気候室内への欠陥のあるＶＩＰを有する容器の配置及び１０℃から２５℃までΘＯＢＪＥＣＴが到達するのに要した時間の測定のような、単純な実験の実施によって決定することができる。この規則は、適宜に派生させることができ、ルックアップテーブルのような適切なフォーマットで上記サーバ内に記憶させることができる。当業者は、許容範囲を考慮するであろうし、また実際に測定された時間よりも短い継続時間Ｔ  ＬＩＭＩＴのための規則と関連付けることができる。
【０１０４】
この規則は、輸送の全相中の空調の予期された存在（１８…２２℃雰囲気、「高級輸送」）  対  空調の予期された非存在のような変化を含むことができる。簡単に言えば、空調はＴ  ＬＩＭＩＴを長くする。この規則は、時間（要因である相０からの輸送の全継続時間）と共に温度が上昇する温度保存ユニット１０３−ｉを考慮することができる。再び簡単に言えば、このユニット１０３−ｉは、輸送の複数の相の終わりに断熱能力を失わせるので、Ｔ  ＬＩＭＩＴは短くなる。この規則は、容封入容器の材料、ＶＩＰの数Ｎなどといった、器の他の構造の詳細の材料を考慮することができる。
【０１０５】
図５Ｂに戻って、この経時進展を今からより詳細に検討する。
【０１０６】
時点ｔ０で、Θ  ＯＢＪＥＣＴはΘＭＡＸより小さく、上記ＶＩＰはＰ１で真空のままであり、上記サーバへ向かうＰＣＳ（ｔ０）は、その圧力に対する少なくとも１つの値を含む。サーバは、上記規則を適用すると共に、容器がＦＵＮＣＴＩＯＮ状態にあることを決定し、且つＦＵＮＣＴＩＯＮ＊をデータベース内に記憶する。より詳細には、ＦＵＮＣＴＩＯＮ＊はＮＯＲＭＡＬ−ＦＵＮＣＴＩＯＮ＊である。
【０１０７】
時点ｔ１で、上記容器は不意に動かされ（輸送又は取り扱い中に落下し）、そして上記ＶＩＰは僅かな漏れを被る。これはまだ検出されていない。
【０１０８】
時点ｔ２で、上記ＶＩＰ圧力は増加するが、予め規定された臨界閾値よりまだ小さいままである。上記サーバは、ＰＣＳ（ｔ２）をＮＯＲＭＡＬ−ＦＵＮＣＴＩＯＮ＊と決定するように評価する。
【０１０９】
時点ｔ３で、上記ＶＩＰ圧力は更に増加し、そして閾値に到達する。これは、上記ＶＩＰ事象の時刻である。ｔ３では、ＮＯＲＭＡＬ−ＦＵＮＣＴＩＯＮ＊が残るようなサーバへの通信はない。
【０１１０】
時点ｔ４で、ＰＣＳ（ｔ４）は、（閾値より大きな）実際の圧力値を含む。上記サーバは、ＦＵＮＣＴＩＯＮ＊であるべき容器の状態が、ＰＲＥ−ＦＡＩＬＵＲＥ−ＦＵＮＣＴＩＯＮ＊にもなると評価する。更にサーバは、（例えば上記ルックアップテーブルからの）Ｔ  ＬＩＭＩＴを識別するための上記規則を適用する。これは、上記状態値がＰＲＥ−ＦＡＩＬＵＲＥ／ＰＲＥ−ＦＡＩＬＵＲＥ＊からＦＡＩＬＵＲＥ／ＦＡＩＬＵＲＥ＊に（図中のｔ６で）なって変わるであろうまでの−例えばｔ４から始まる−経過時間Ｔ  ＬＩＭＩＴを選ぶであろうことを意味する。このサーバはまた、上記推奨（例えば特定の修正行動の実行）を特定する。図４の例では、この推奨は、特定の病院に立ち寄って壊れたＶＩＰを交換（し、また上記物品を再び冷却）するように輸送経路を変換する。
【０１１１】
Ｔ  ＬＩＭＩＴは、機能的な残余間隔であると考えることができる。基本的に、それを決定するには、（ｔ３での）実際のＶＩＰ事象から（ｔ６での）ＦＡＩＬＵＲＥ＊までか、又はｔ４からｔ６までの２つの選択肢がある。ｔ３からｔ４までの継続時間は（例えば、歴史的なデータ、又は、ＶＩＰに穴をあけ、空になるまでの時間を測定するといった、簡単な実験から）既知であるので、当業者は、適切な選択肢を選択することができる。それは、許容範囲を考慮すべきであることを意味する。
【０１１２】
ｔ４の後、図表は、物品事象を伴うシナリオ（太線）内と、物品事象を回避するシナリオ（破線、図４の例に対応）内に分岐する。
【０１１３】
時点ｔ５（太線、物品事象を仮定）で、圧力ＰはＰ２に達し、空気が上記パネル内に入り、そしてＶＩＰの断熱特性が減少する。結果として、Θ  ＯＢＪＥＣＴは以前より高くなり、しかし未だΘＭＡＸより小さい。上記サーバは、未だＰＲＥ−ＦＡＩＬＵＲＥ−ＦＵＮＣＴＩＯＮ＊を示す。
【０１１４】
ｔ４にＴ−ＬＩＭＩＴを加えた、時点ｔ６（太線、物品事象を仮定）で、上記サーバは、上記状態値をＦＡＩＬＵＲＥ＊に変換する。これは、上記容器が実際にＦＡＩＬＵＲＥに変化した時点にほぼ対応する。ｔ６は上記物品事象に対応するだろう、そして上記物品はその機能を失うだろう。
【０１１５】
ｔ３（ＶＩＰ事象）とｔ４（ＰＲＥ−ＦＡＩＬＵＲＥ＊検出）の間では、上記容器の実際の状態は、まだ上記サーバによって表現されない。しかしながら、この継続時間ｔ４−ｔ３は、ＰＲＥ−ＦＡＩＬＵＲＥの継続時間と比較して短い。ｔ４−ｔ３は、伝送間隔Ｔ  ＳＡＭＰＬＥに関連する。当業者は、要素を考慮することによってＴ  ＳＡＭＰＬＥを最適化することができ、その要素は、（ａ）ナイキスト−シャノンの標本化定理及び（ｂ）上記第２符号での上記ＰＣＳ送信のための長距離伝送ユニット１４０のエネルギー消費量を含む。それに応じて、Ｔ  ＳＡＭＰＬＥは変更され得る。
【０１１６】
しかしながら、先に説明したように、（Ｔ  ＬＩＭＩＴ内に）修正行動がとられる場合がある。破線で図示するように、上記ＶＩＰは、ｔ５で（又は、僅かの後、しかしｔ６以前に）それが交換されたため、真空を回復する。上記物品はまた、再び冷却されている（Θ  ＯＢＪＥＣＴ）。
【０１１７】
先に説明したように、容器の監視を即時監視とするようにＴ  ＳＡＭＰＬＥが選択されている結果、修正行動をとることが可能である。従って、Ｔ  ＳＡＭＰＬＥはＴ  ＬＩＭＩＴに関連するが、大いに短くなるように選択されるべきである。
【０１１８】
Ｔ  ＳＡＭＰＬＥの上記選択に影響を与え得る更なる制約がある。長距離伝送ユニット１４０は、通常、電池式であり、且つ第２符号でのＰＣＳ伝送はエネルギーを損失する。１つの実施の形態では、Ｔ  ＳＡＭＰＬＥは１０秒〜１０分の範囲内になるように選択される。便宜上、Ｔ  ＳＡＭＰＬＥは６０秒である。
【０１１９】
例えば、もし、上記規則が、即時故障ＦＡＩＬＵＲＥ＊をもたらす、及び／又は、修正行動の不可能なＴ  ＬＩＭＩＴにつながるならば、修正行動が不可能な場合となるだろう。
【０１２０】
＜異なる材料のＶＩＰを使用する容器に対する時間図表＞
再び、図５Ｃは、上記物品温度に対する、上記圧力の、及び状態値の時間図表を示す。先に説明したように、図５Ｂは材料クラス＃１内のＶＩＰに言及し、また図５Ｃは材料クラス＃２内のＶＩＰに言及する。容器の挙動における差異を図示するために、図５Ｃは、材料＃１に対するΘ  ＯＢＪＥＣＴを細い点線で図示する。図５Ｃは、修正行動を図示しないで更に簡易化される。
【０１２１】
説明の簡易のために、更に、図５Ｂ内で記述された上記状況を指す時点ｔ１（僅かな漏れ）、ｔ２（圧力増加、しかし閾値より小さい）、ｔ３（閾値の圧力）、ｔ４（ＦＵＮＣＴＩＯＮ＊からＰＲＥ−ＦＡＩＬＵＲＥ−ＦＵＮＣＴＩＯＮ＊へ）を想定する。上記ＶＩＰ事象の場合に、（＃２に対する）Θ  ＯＢＪＥＣＴは、（＃１に対する）Θ  ＯＢＪＥＣＴよりもよりゆっくり上昇する。導関数によって数学的に表すならば、
ｄΘ  ＯＢＪＥＣＴ＃２／ｄｔ  ＜  ｄΘ  ＯＢＪＥＣＴ＃１／ｄｔ
である。ＶＩＰ材料＃２（即ち、より高い材料性能クラス）のより有利な材料特性により、上記間隔Ｔ  ＳＡＭＰＬＥ（伝送間隔）及びＴ  ＬＩＭＩＴ（機能的残余時間）を長くすることができ、それは
Ｔ  ＳＡＭＰＬＥ＃２  ＞  Ｔ  ＳＡＭＰＬＥ＃１
Ｔ  ＬＩＭＩＴ＃２  ＞  Ｔ  ＬＩＭＩＴ＃１
である。例えば、Ｔ  ＳＡＭＰＬＥ＃２は、（図５Ｂのシナリオ内の６０秒に代えて）１２０秒とすることができる。例えば、Ｔ  ＬＩＭＩＴは、長さで凡そ２倍である。
【０１２２】
結果として、（＃１から＃２へ、又はさらに上位のクラスへの）ＶＩＰ材料の格上げは、上記ＰＣＳの第２符号（１４５）の伝送に−少なくとも−関連する技術パラメータの改変を許容する。随意的に、他の改変が可能であり、上記ＰＣＳの検知（センサユニット１２０−ｉ）及び／又は容器内の伝送（ユニット１３０−ｉ）を低周波数に簡易化することができる。潜在的に、これは、電気エネルギーの節約、又は、ハードウエア構成要素（上記容器内のセンサユニット、伝送ユニットなど）に対するより簡易化された設計の採用といった効果をもたらす。
【０１２３】
例えば、電池式センサユニットに対し、その電池能力を低減することができ、又は、その電池をより長時間使用することができる。これはまた、（なくなった電池に対する）ごみの削減に環境的な効果を有する。Ｔ  ＳＡＭＰＬＥは、上記遠隔サーバへの通信の帯域幅に関連するので、帯域幅を節約することができる。
【０１２４】
より長い機能的残余（Ｔ  ＬＩＭＩＴ）を伴う更なる結果として、上記修正行動は、簡易化され、又は、幾つかの場合には、回避することさえできる。図４のシナリオの例では、上記修正行動は簡易化されるかもしれないし、又は、特定の病院への迂回は必要でないかもしれない。つまり、長い期間では、容器は（ＶＩＰ事象を被った容器でさえも）より長持ちし得るので、「修理設備」の数を低減することができる。
【０１２５】
＜上記ＰＣＳの処理に規則を用いる遠隔サーバ＞
図６は、遠隔サーバ２００による、前述のような輸送容器１００との通信のためのデータ処理を図示する。サーバ２００は、予め規定された規則（Ｒ１、Ｒ２、Ｒ３、Ｒ４）の組合せに従って上記状態値表現（例えばＦＵＮＣＴＩＯＮ＊対ＦＡＩＬＵＲＥ＊）を決定するために上記ＰＣＳ（及び他のデータ）を処理するように適応された状態値モジュール２５０を備える。先に説明したように、この規則は上記温度相関特性に基づく。状態値モジュール２５０は、上記ＰＣＳを（即ちＮ個全てのＰＣＳ−ｉに対するベクトル、例えばＴ  ＳＡＭＰＬＥで周期的に）受信し、また−随意的に−他のデータ（例えば物品状態信号１０６）を受信する。
【０１２６】
モジュール２５０は、容器１００の運用状態が標準機能状態（ＮＯＲＭＡＬ−ＦＵＮＣＴＩＯＮ＊、規則Ｒ１）であると決定するように適応される。モジュール２５０はまた、ＶＩＰ事象（ｔ４でのＰの閾値超え参照、湿度の閾値超え／未満、特定の値での電気的又は熱的伝導率他）を検出するように適応される。ＶＩＰ事象の検出に基づき、モジュール２５０は、上記状態値をＦＵＮＣＴＩＯＮ＊からＦＡＩＬＵＲＥ＊に（又はＮＯＲＭＡＬ−ＦＵＮＣＴＩＯＮ＊からＰＲＥ−ＦＡＩＬＵＲＥ−ＦＵＮＣＴＩＯＮ＊に、規則Ｒ２）セットする。モジュール２５０はまた、上記ＶＩＰ事象から上記物品事象までの所要時間（図５Ｂにおける上記検討参照、規則Ｒ３）としてのＴ  ＬＩＭＩＴを決定する。Ｔ  ＬＩＭＩＴは、上記特定の事象に依存することができる。例えば、単独のＶＩＰ事象の場合のＴ  ＬＩＭＩＴは、複数のＶＩＰ故障の場合のＴ  ＬＩＭＩＴよりも長い。特定のＶＩＰ事象に対し、上記状態がすぐにＦＡＩＬＵＲＥ＊となるようにＴ  ＬＩＭＩＴをゼロにする（規則Ｒ４）ことさえ可能である。これは、例えば、もし全てのＶＩＰが故障した場合、又はもし、Θ  ＯＢＪＥＣＴがΘＭＡＸに到達してしまった場合に、発生する可能性がある。
【０１２７】
規則の規定には種々の手法がある。推奨モジュール２６０は、上記状態表現値＊、Ｔ  ＬＩＭＩＴ（及びＦＡＩＬＵＲＥ＊に到達する実際の所要時間）、上記事象の形式（単独ＶＩＰ事象、複数のＶＩＰ事象、圧力対伝導率、その他）を処理すると共に、推奨（又は指示）を特定するための推奨規則（又は指示規則）を適用する。図４の例では、上記指示は、輸送の中断及び特定のＶＩＰの交換であった。
【０１２８】
サーバ２００は、取り扱い仲介者に、即ち上記修正行動を遂行するために容器１００と肉体的に触れ合うことが可能な人に、上記推奨／指示を送信することが可能な通信システムと通信可能に組合される。この通信システムは、逆向きに使用される（図３の）システム２０２とすることができ、又は異なるシステムとすることができる。推奨／指示３１０は、（容器１００と同一でなく且つ取付けられてもいない）携帯機器のユーザインターフェース上のような、コンピュータ３５０のユーザインターフェース上で（例えば、メッセージとして）取り扱い仲介者に提供することができる。
【０１２９】
取り扱い仲介者は、上記修正行動に参加することが可能な、容器１００の近傍にいる人（例えば、図４内の車の運転者）である。サーバ２００は、メタ情報に基づいて、この人にどのようにして伝えるかを特定することができる。
【０１３０】
しかしながらまた、指示を容器１００に（即ち、ユニット１４０に）直接的に送信することも可能である。拡声器は、予め規定された音響メッセージを送信し（より適切には、輸送容器の地理的位置で理解される言語で）、ブザは、取り扱い仲介者に注意を喚起する音響信号を送出し、ランプは、危機的状態の表示を視覚的に提供し、ディスプレイユニットは、指示３０１を表示するだろう。
【０１３１】
＜上記容器の操作＞
図７は、（物品１０５の輸送に適応された）輸送容器１００を操作するための方法のフローチャート図表を図示する。
【０１３２】
配置ステップ７１０では、物品が、輸送容器１００内の物品位置１０４内に配置される。物品位置１０４は、真空断熱パネル１０２−ｉによって断熱されるか、又はＶＩＰ１０２−ｉである。
【０１３３】
提供ステップ７２０では、（ＶＩＰ１０２−ｉに組付けられた）センサユニット１２０−ｉが、ＶＩＰ１０２−ｉの少なくとも１つの物理特性に対する測定値Ｖｉｊに応じたパネル状態信号（ＰＣＳ）１２５−ｉを提供する。この物理特性は、物品の温度Θ  ＯＢＪＥＣＴに影響を与える。
【０１３４】
伝送ステップ７３０では、短距離伝送ユニット１３０−ｉが、輸送容器１００内でＰＣＳ１２５−ｉの第１符号１３５−ｉを伝送する。
【０１３５】
受信ステップ７４０では、長距離伝送ユニット１４０が、短距離伝送ユニット１３０−ｉからのＰＣＳ１２５−ｉの第１符号１３５−ｉを受信し、また、伝送ステップ７５０では、輸送容器１００の運用状態の状態値を決定するように上記パネル状態信号を処理するための遠隔サーバコンピュータ２００に上記パネル状態信号ＰＣＳの第２符号１４５を周期的に伝送する。
【０１３６】
方法７００は、随意的に、（容器１００の）前故障状態の決定、及び、結果としての修正行動の提供（例えば修正行動の特定）を含む。この行動は、例えばＶＩＰ１０２−ｉの交換、及び／又は、物品温度（Θ  ＯＢＪＥＣＴ）の変更である。
【０１３７】
方法７００は、少なくとも部分的にコンピュータに実装された方法とすることができる。コンピュータによって実行することが可能なステップは、提供（７２０、なぜならば、上記センサユニット内のコンピュータは、上記物理特性を表現するＰＣＳ１２５−ｉを信号から派生することができる）、伝送（７３０、なぜならば、コンピュータは、信号の伝送を実行する電子機器を制御するために用いられ得る）、受信（７４０、なぜならば、同様に、コンピュータは、信号の受信を実行する電子機器を制御するために用いられ得る）、及び−もし達成されるならば−修正行動の提供（７６０、上記遠隔サーバコンピュータのようなコンピュータによって実行される）である。図７はまた、１つ以上のコンピュータプログラム（又は（複数の）コンピュータプログラム製品）を図示する。この製品は、−コンピュータの記憶装置内にロードされ、且つそのコンピュータの少なくとも１つの処理装置によって実行される場合−方法７００の少なくとも幾つかのステップを実行する。それは、上記第１及び第２符号の提供により、及び上記第２符号の伝送により、それらのステップが、個別の複数のコンピュータによって、この場合、上記短距離及び長距離伝送ユニット内に実装されるであろう複数のマイクロコンピュータによって、実行され得ることを意味する。換言すれば、図７の複数のブロックは、方法７００を図示すると共にまた、上記プログラムの制御下の（複数の）コンピュータによって実行され得る複数のモジュールを図示する。
【０１３８】
＜上記遠隔サーバコンピュータの操作＞
図８は、上記遠隔サーバコンピュータを操作するためにコンピュータに実装された方法８００のフローチャート図表を図示する。先に説明したように、サーバ２００は、容器１００からの上記ＰＣＳの第２符号１４５を受信するように適応される。
【０１３９】
受信ステップ８１０では、サーバ２００が、（上記ＰＣＳの）第２符号１４５の標本を受信する。決定ステップ８２０では、サーバ２００が、予め規定された規則（図６のＲ１、Ｒ２、Ｒ３、Ｒ４参照）の組合せに従って、輸送容器１００の運用状態の状態値を決定する。
【０１４０】
第１則（Ｒ１）は、上記輸送容器（１００）の上記運用状態が標準機能状態（ＮＯＲＭＡＬ−ＦＵＮＣＴＩＯＮ＊）であることを決定する。第２則（Ｒ２）は、（上記ＶＩＰに関連する事象、上記ＶＩＰ事象の検出に基づいて）上記容器の上記運用状態が前故障状態であると決定する。第３則（Ｒ３）は、上記ＶＩＰ事象から、予め規定された状態（物品事象）に物品位置１０４で到達するまでの時間間隔を識別する。この第３則はまた、上記時間間隔（Ｔ  ＬＩＭＩＴ）が経過したときに上記状態値の表現を故障状態（ＦＡＩＬＵＲＥ＊）にセットする。記憶ステップ８３０では、サーバ２００がその状態値の表現（ＮＯＲＭＡＬ−ＦＵＮＣＴＩＯＮ＊、ＰＲＥ−ＦＡＩＬＵＲＥ−ＦＵＮＣＴＩＯＮ＊、ＦＡＩＬＵＲＥ＊）を記憶する。
【０１４１】
図８はまた、コンピュータプログラム又はコンピュータプログラム製品を図示する。このコンピュータプログラム製品は、−コンピュータ（ここではサーバ２００）の記憶装置内にロードされ、且つそのコンピュータの少なくとも１つの処理装置によって実行される場合−コンピュータに実装された方法８００の上記ステップを実行する。換言すれば、図８の複数のブロックは、方法８００を図示すると共にまた、上記プログラムの制御下の上記コンピュータによって実行され得る複数のモジュールを図示する。
【０１４２】
＜異なる材料を伴うＶＩＰ＞
この記述は、今より、上記ＶＩＰの材料を区別する随意的な実施の形態を考察する。
【０１４３】
図１０は、異なる材料を伴うＶＩＰの置換の成り行きを説明するための方法のフローチャート図表を図示する。輸送容器１００を操作するための方法１０００は、上記輸送容器１００自身に、上記ＶＩＰとサーバ２００間のデータ通信チャンネル内で、及び遠隔サーバ２００の内部で生じるステップを要約する。
【０１４４】
第１のＶＩＰ１２０−ｉは、第２の新規なＶＩＰ（１０２’−ｉ）によって置換（ステップ１０１０）される。新規なＶＩＰ１０２’−ｉによる上記ＶＩＰ１０２−ｉの置換１０１０は、例えば上記修正行動の一部として生じ得る。上記第１ＶＩＰは第１の材料を使用することによって製造され、また上記第２ＶＩＰは第２の材料を使用することによって製造され、また双方の材料はそれらのＶＩＰが異なる熱伝導率を有する結果をもたらすものと仮定する。先に説明したように、この第１ＶＩＰ及び第２ＶＩＰは、その材料に従って、異なる熱伝導率に起因するＶＩＰ性能を表現する複数のクラスに分類することができる。それらのクラスは、上記ＶＩＰに関連付けされたデータ構造によって表される。例えば、クラス＃１及びクラス＃２を表すデータ構造がある。
【０１４５】
置換は、第１の古いＶＩＰの除去及び第２の新しいＶＩＰの挿入を意味するから、それに応じてここでは、当業者は、上記輸送容器がＶＩＰを当初から装備している状況に教訓を付与することができる。
【０１４６】
上記材料クラスは、サーバ２００の操作に対する入力値である。これは、サーバ２００内への上記クラスの読み込みとして要約される。随意的に、（上記新規のＶＩＰの）材料クラスが自動的に検出（１０２０）され（即ち、上記クラスを表すデータ構造の読み込み）るか、又は、オペレータがサーバ２００内に上記材料クラスを手動で入力する（即ち、上記データ構造への入力の付与）。
【０１４７】
結果として、上記サーバ２００へのＰＣＳの第２符号１４５の伝送に関連する技術パラメータは、改変（１０４０）される。この技術パラメータは、例えば、上記伝送間隔Ｔ  ＳＡＭＰＬＥ及び上記機能的な残余間隔Ｔ  ＬＩＭＩＴである。上記ＶＩＰの性能が（例えばクラス＃１から＃２へ）増大する場合には、上記間隔は、（上記ＰＣＳの伝送のためのエネルギーの節約、計算量の低減、その他のような複数の結果を伴って）より長くなる。
【０１４８】
上記データ構造の読み込みは、上記サーバへの上記第２ＶＩＰの材料クラスを示す材料クラス信号（ＭＣＳ）の伝送（１０３０）を含むことができる。上記新規のＶＩＰのクラスを示すＭＣＳは、その新規のＶＩＰと短距離伝送ユニット１３０−ｉの間の相互作用によって、（又は、長距離伝送ユニット１４０との相互作用によって）検出することができる。このＭＣＳは、上記新規のＶＩＰのクラスを上記サーバ２００に示す。
【０１４９】
方法１０００は、−少なくとも部分的に−コンピュータに実装された方法とすることができる。コンピュータによって実行することが可能なステップは、検出（１０２０、コンピュータはＶＩＰからの符号の読み取りを補助することができ、又は、サーバ２００のようなコンピュータはオペレータからの上記材料クラスの入力を受信することができる）、伝送（１０３０、なぜならば、コンピュータは上記伝送電子機器の一部とすることができる）、改変（１０４０、サーバ２００によって実行されるような）である。
【０１５０】
結果として、図１０はまた、コンピュータプログラム又はコンピュータプログラム製品を図示する。このコンピュータプログラム製品は、−コンピュータの記憶装置にロードされ且つそのコンピュータの少なくとも１つの処理装置によって実行される場合−そのコンピュータに実装されたステップ１０２０、１０３０及び１０４０を実行する。従って、図の複数のブロックはまた、モジュール（図８参照）を図示する。
【０１５１】
この記述は、今より、既に説明された図面の幾つかを見返すことによって材料区別のための更なる詳細を説明するが、上記ＶＩＰ材料クラス分類及びその成果が焦点である。
【０１５２】
＜材料クラスの適合性＞
先に説明したように、異なる材料クラス内のＶＩＰは、随意的に共存することができる。輸送容器内に組み込まれるためのＶＩＰの選択は、そのＶＩＰの使用可能性に依存する。ＶＩＰ１０２−ｉを挿入することによって輸送容器を組み立てる人（上記オペレータ）は、あらゆる材料クラスのＶＩＰを使用することができる。例えば、Ｎ＝６のＶＩＰに対し、構成＃１  ＃１  ＃１  ＃２  ＃２  ＃２の、＃１  ＃１  ＃１  ＃１  ＃１  ＃１構成の、又はその他の構成のＶＩＰがあるだろう。ＶＩＰ置換の可用性は、種々の相（図４参照）で異なり得る。例えば、上記容器内への物品の配置（図４の初期相０での、図７の配置ステップ７１０参照）より前に、クラス＃２内のＶＩＰが使用可能である（Ｎ＝６のＶＩＰに対して＃２  ＃２  ＃２  ＃２  ＃２  ＃２）が、後の時点（ＶＩＰの交換によって容器を修理する相４参照）では、クラス＃１のＶＩＰだけが使用可能である（１つのＶＩＰが交換されたＮ＝６のＶＩＰに対して＃２  ＃２  ＃２  ＃２  ＃２  ＃１）。
【０１５３】
クラス＃２のＶＩＰによるクラス＃１の置換はＵＰＧＲＡＤＥ（格上げ）に該当し、クラス＃１のＶＩＰによるクラス＃２の置換はＤＯＷＮＧＲＡＤＥ（格下げ）に該当する。
【０１５４】
それらは、例えば上記伝送パラメータのようなパラメータに関連する。パラメータの区別の有利を用いるために、上記パラメータをよりよく変更する（例えばより長いＴ  ＳＡＭＰＬＥ）ことによって、ＵＰＧＲＡＤＥが遂行されるべきである。上記パラメータ（＃１でのパラメータ）の変更を伴わないＵＰＧＲＡＤＥ（例えば＃１から＃２へ）は、上記有利を用いない。これに対し、ＤＯＷＮＧＲＡＤＥはパラメータの変更によって遂行されなければならず、さもなければ（Ｔ  ＬＩＭＩＴ他が不適切に算出されるので）パネルが上記物品を台無しにしてしまう場合さえある。
【０１５５】
この複雑さは、以下の考察によって、なお一層、より過酷になる。ステップ７１０／相０（図７参照）では、上記オペレータは遠隔サーバ２００にアクセスするかもしれないが、オペレータは、次の相ではしないかもしれない。この記述は、上記容器の構成（図３参照）、上記使用シナリオ（図４参照）、上記容器の操作方法（図７参照）、及び上記遠隔サーバの操作方法（図８参照）に言及することによって、上記取り扱いの複雑さを低減するための結果も手段も説明する。
【０１５６】
随意的に、材料クラス（＃１、＃２他）は、例えば製造中に、上記ＶＩＰの内部及び／又は上記センサの内部に暗号化され得る。（センサ１２０−ｉから伝送ユニット１４０を経て遠隔サーバ２００への）上記ＰＣＳのための通信チャンネルはまた、材料クラス信号（ＭＣＳ）を伝送することもできる。このＭＣＳは、特定のＶＩＰの材料クラスについて上記遠隔サーバ２００が知ることができるように、上記材料クラスを示す。この材料クラスに関する情報は、（規則Ｒ３のような）上記規則が適用されたサーバ２００によって使用することができる。
【０１５７】
上記ＭＳＣを伝送するために、前述の時間間隔（Ｔ  ＣＬＯＣＫ、Ｔ  ＳＡＭＰＬＥ）を適用する必要はない。理論上、材料のしるしの伝送は、ただ一度で十分である。代わりに、上記容器を組み立てる人は、上記材料クラスをサーバ２００に手動で通信することができる。
【０１５８】
上記容器の内部を見ると、伝送ステップ７３０は、上記ＭＣＳに依存する、異なるクロック間隔（より高い＃に対してより長いＴ  ＣＬＯＣＫ）を伴って遂行することができる。受信ステップ７４０は、より高い材料クラス＃に対するより長いＴ  ＳＡＭＰＬＥを伴って実行することができる。遠隔サーバ２００では、上記規則は材料クラスを考慮することができ、これは、例えば、規則Ｒ３（より高いクラスに対してより長いＴ  ＬＩＭＩＴ）に関連すると共に、例えば、推奨／指示３１０（格下げの場合の警告メッセージ、又はそのようなもの）に関連する。
【０１５９】
＜材料のクラス及び容器の種類の検討＞
サーバ２００は、異なる材料を伴うＶＩＰを有する２以上の容器と通信可能とすることができる。説明したように、材料種類＃１内の容器は、材料種類＃２内の容器とは異なるパラメータを有する。それらは、容器の「混成艦隊」となるだろう。当業者は、上記モジュール及び規則を伴って、材料種類を考慮するように、サーバ２００（図６）を改変することができる。この容器への／容器からの通信は、随意的に、容器の種類を表すデータの組合せを含むことができる。こうした改変はまた、図７−８に関連して説明した上記方法、コンピュータプログラム、その他にも適用可能である。例えば、更なるステップは、上記材料のクラス（及び／又は上記容器の種類）をチェックすることができると共に、Ｔ  ＳＡＭＰＬＥ、Ｔ  ＬＩＭＩＴのために、予め規定された修正行動及びそうしたもののために、＃１と＃２を区別することができる。上記ＶＩＰに対する材料クラスの区別に代えて、容器の種類に関するパラメータ区分は、例えば、上記データの複雑さの観点から、有利と考えられる。容器の種類及び材料のクラスに対するデータ構造は、既に説明した原理に従って、異なる精度レベルのみに適用される。例えば、Ｔ  ＳＡＭＰＬＥ及びＴ  ＬＩＭＩＴは、種類＃１（材料クラス＃１内の少なくとも幾つかのＶＩＰ）及び種類＃２（材料クラス＃２内の全てのＶＩＰ）内の容器に対して区別される。ＶＩＰの格下げ（クラス＃２からクラス＃１への置換）また（種類＃２から＃１への）上記容器の格下げのような、上記サーバ２００によって適用されるべき規則を規定することができる。
【０１６０】
複数の修正行動のために、Ｔ  ＳＡＭＰＬＥ及びＴ  ＬＩＭＩＴに対する初期選択値を規定することができる。このような場合に、輸送中のＶＩＰの交換（例えば図４の相１内又はその後）は、より短い継続時間（例えば＃１に対する）内のＴ  ＳＡＭＰＬＥ及びＴ  ＬＩＭＩＴの使用のきっかけに自動的になるだろう。こうしたアプローチは、上記計算を簡易化するだろうが、上記「長い」間隔の前述の有利は利用しないだろう。
【０１６１】
＜更なる選択肢＞
更なる実施の形態を熟慮する。例えば、遠隔サーバ２００から受信したデータの（上記ＶＩＰを含む）上記容器に対する状態情報をユーザインターフェース上で可視化することが可能である。上記容器の送り主は、彼又は彼女が実際にその容器を見ない場合でも、一団の容器内の上記ＶＩＰの視覚的表現を検査するコンピュータユーザになることができる。換言すれば、（サーバ２００に接続される）コンピュータは、上記容器の「仮想双子」として代理することができる。
【０１６２】
長距離伝送ユニット１４０は、市販の携帯機器（例えばスマートフォン）によって実装することができる。
【０１６３】
上記ＶＩＰ材料に関し、ＰＵ／ＥＰＳ（クラス＃１）の使用に代えてのＯＡＧ（材料クラス＃２）の使用は、輸送サイクルの（即ち、図４の相０から４までの、又は同様の）数がより多くなるという期待から、有利となり得る。換言すれば、より上位の材料クラス内のＶＩＰを伴う容器は、ゆっくりした速度の経年劣化を示す。
【０１６４】
Ｔ  ＬＩＭＩＴ及び他のパラメータの規定に関し、前述の気候室の使用は１つの選択肢であるが、歴史的なデータを伴っての上記技術パラメータの構成も同様に可能である。遠隔サーバ２００は、データを受信し且つ時間と共に蓄積するので、Ｔ  ＬＩＭＩＴ（及び他のパラメータを微調整することができる。換言すれば、学習によるパラメータの適応が可能となる。
【０１６５】
データを収集するために、より洗練された温度測定装備を有するが、物品は伴わない、「ダミー」とも呼ばれる容器を出荷することも可能である。このような「ダミー」は、同様に輸送されるだろう。それは、（「ダミー」の）輸送中にＶＩＰが任意に壊れ且つその成り行き（例えば現実の状況下での温度の測定）を監視することさえ可能である。
【０１６６】
（容器１００から遠隔サーバ２００に）伝送されたデータは、上記状態を必要としないが、それは、上記状態の派生を許容するデータである。（状態は、パネルの交換のような特定の行動の規定を許容するが、僅かな指示でさえないだろう。）伝送されるべきデータの量は、上記状態が伝送されなければならない場合にのみ、より大きくなる。しかし、このアプローチは、エネルギー消費の観点から有利となり得る。容器１００が輸送されているとき、（伝送器１４０に対する、又は、ＷＬＡＮ局２０２−１ａに参照される車両内のＷＬＡＮユニットのような上記容器の外部のあらゆるゲートウエイに対する）電気エネルギーの連続的な供給は、常時可用ではない。適応可能な伝送間隔を伴う、このアプローチはエネルギーの節約を提供し、その結果、エネルギーを使い果たす危機が低減する。
【０１６７】
（上記第１符号でのＰＣＳを受信し且つ上記第２符号でのＰＣＳを伝送する）長距離伝送ユニット１４０は、エネルギー消費の最小化の面で十分な符号化を提供する（上記第１符号から上記第２符号への）再符号化器とみなし得る。状態の計算はエネルギーを消費するが、その状態の計算は、（エネルギーの供給が危機的でない場合には）遠隔サーバ２００に移行する。（伝送器１４０による）再符号化は、無線規格における上記区別に対処するだけでなく、データ量の最適化を提供し、そして結果的に、エネルギー消費量の最適化を提供する。換言すれば、これは、データ伝送の効率を増大する。その効率を更に増大するためには、その標本抽出率を調整する。
【０１６８】
このアプローチは、（もし、中断することのない連続的な監視が可能ならば）上記容器の特定構造要素（即ちＶＩＰ）に適応する監視によって、容器の遠隔監視を提供する。遠隔監視は、上記構造要素に依存して、効率を最適化する（伝送間隔のような）パラメータを伴って監視が実行されるように、エネルギー消費と対立することができる。
【０１６９】
＜更なる態様＞
上記パネル状態信号１２５−ｉは、ＶＩＰ１２０−ｉの１つ以上の物理特性を示すことができる。この特性は、上記物品の温度Θ  ＯＢＪＥＣＴに影響を与え、その物理特性は、上記ＶＩＰ内のガス圧力（Ｐ（ｉ））、上記ＶＩＰの導電率、上記ＶＩＰの熱伝導率、上記ＶＩＰの湿度、上記ＶＩＰの温度、及び上記ＶＩＰの振動の群から選択することができる。上記ＰＣＳによって表現されるこれらの特性に基づいて、このＰＣＳは、上記ＶＩＰの状況を示すことのできる信号である。
【０１７０】
上記短距離伝送ユニット１３０−ｉは、電気二重層コンデンサ、長距離伝送ユニット（１４０）の無線網、振動発生器（その振動エネルギーは電気エネルギーに変換される）、電池、及び（エネルギーを取り入れる）容器の周囲内の無線網の群から選択された電源から電気エネルギーを受け取るように適応することができる。上記短距離伝送ユニット１３０−ｉは、ＲＦＩＤ、ＷＬＡＮ、ＢＬＵＥＴＯＯＴＨ（登録商標）の群から選択された信号伝送技術に基づく無線伝送器とすることができる。
【０１７１】
遠隔サーバコンピュータ２００では、上記ＰＣＳの第１符号を上記第２符号と区別する必要はない。従って、サーバコンピュータ２００の構成及び操作は、「符号化」に言及することによって要約することができる。結果的に、サーバコンピュータを操作するためのコンピュータに実装される方法は、輸送容器１００からのパネル状態信号１２５−ｉの符号１４５の受信に適応するようなサーバコンピュータ２００に言及することによって提供することができる。輸送容器１００は、物品位置１０４を断熱する真空断熱パネル１２０−ｉを備える。パネル状態信号１２５−ｉは、上記物品位置１０４での物品の温度に影響を与える（ＶＩＰ１０２−ｉの）少なくとも１つの物理特性に対する測定値Ｖｉｊに対応する。受信ステップ８１０では、上記コンピュータは（上記パネル状態信号の）符号１４５の標本を受信する。決定ステップ８２０では、上記コンピュータは、予め規定された規則Ｒ１、Ｒ２、Ｒ３に従って輸送容器１００の運用状態Ｓの状態値を決定する。先に説明したように、第１則Ｒ１は、上記輸送容器１００の運用状態が標準機能状態（ＮＯＲＭＡＬ−ＦＵＮＣＴＩＯＮ＊）であることを決定し、第２則Ｒ２は、上記ＶＩＰに関連する事象（ＶＩＰ事象）発生の検出に基づいて、輸送容器の上記運用状態が前故障状態であると決定し、第３則Ｒ３は、上記ＶＩＰ事象から、予め規定された状態（物品事象）に物品位置１０４で到達するまでの時間間隔を識別すると共に、上記時間間隔（Ｔ  ＬＩＭＩＴ）が経過したときに上記状態値の表現を故障状態（ＦＡＩＬＵＲＥ＊）にセットする。記憶ステップ８３０では、上記コンピュータは、その状態値の表現（ＮＯＲＭＡＬ−ＦＵＮＣＴＩＯＮ＊、ＰＲＥ−ＦＡＩＬＵＲＥ−ＦＵＮＣＴＩＯＮ＊、ＦＡＩＬＵＲＥ＊）を記憶する。コード化を伴うコンピュータプログラム製品が適用可能である（図７−８に対する上記説明参照）。他の規則が適用可能である。
【０１７２】
＜統合的なコンピュータ＞
図９は、ここに記載される技術と共に用いられ得る、統括的なコンピュータ装置９００及び統括的な携帯コンピュータ機器９５０の一例を図示する。コンピュータ装置９００は、ラップトップ、デスクトップ、ワークステーション、携帯情報端末、サーバ、ブレードサーバ、メインフレーム、及び他の適切なコンピュータのようなデジタルコンピュータの種々の形式を代表することを意図する。統括的なコンピュータ装置９００は、図１の長距離伝送ユニット１４０及び／又は遠隔コンピュータ２００に対応し得る。コンピュータ機器９５０は、携帯情報端末、携帯電話、スマートフォン、及び他の同様のコンピュータ機器のような携帯機器の種々の形式を代表することを意図する。例えば、コンピュータ機器９５０は、図１に示すような仲介機器のデータ貯蔵構成要素及び／又は処理構成要素を含み得る。ここに示すそれらの構成要素、それらの接続及び関係、及びそれらの機能は、典型を意味しているだけであり、且つ本書に記述及び／又は特許請求される発明の実施の制限を意味するものではない。
【０１７３】
コンピュータ装置９００は、処理装置９０２、記憶装置（memory）９０４、記憶機器（storage device）９０６、記憶装置９０４と高速拡張ポート９１０を接続する高速インターフェース９０８、及び低速バス９１４と記憶機器９０６を接続する低速インターフェース９１２を含む。それらの構成要素９０２、９０４、９０６、９０８、９１０、及び９１２の夫々は、種々のバスを使用して相互接続されると共に、共通のマザーボード上に、又は適切な他の手法で架設され得る。上記処理装置９０２は、高速インターフェース９０８と組合わされたディスプレイ９１６のような外部入力／出力機器上へのＧＵＩのための画像情報を表示するために、上記記憶装置９０４内又は記憶機器９０６上に記憶された指示を含む、コンピュータ装置９００内で遂行される指示を処理することができる。他の実装内には、複数の処理ユニット及び／又は複数のバスが、複数の記憶装置及び記憶の形式と連動して適切に用いられ得る。また、複数のコンピュータ装置９００は、必要な操作部を提供する個々の機器（例えば、サーババンク、ブレードサーバの一群、又は処理機器といった）と接続され得る。
【０１７４】
上記記憶装置９０４は、コンピュータ装置９００内で情報を記憶する。１つの実装例では、記憶装置９０４は、１つ又は複数の揮発性メモリユニットである。もう１つの実装例では、記憶装置９０４は、１つ又は複数の不揮発性メモリユニットである。この記憶装置９０４はまた、磁気又は光学ディスクのような、コンピュータ可読媒体の他の形態であってもよい。
【０１７５】
上記記憶機器９０６は、コンピュータ装置９００のための大容量記憶を提供する能力を有する。１つの実装例では、記憶機器９０６は、フロッピー（登録商標）ディスク装置、ハードディスク装置、光学ディスク装置、又はテープ装置、フラッシュメモリ又は同様の固体記憶装置、又は装置配列、記憶領域網に含まれる装置、又はその他の構成のような、コンピュータ可読媒体である得るか、又は、それを含み得る。コンピュータプログラム製品は、情報担体内に実体的に統合することができる。このコンピュータプログラム製品はまた、前述のような１つ以上の方法が実行される場合に、それを実行する指示を含むことができる。この情報担体は、上記記憶装置９０４、記憶機器９０６、又は処理装置９０２上のメモリのような、コンピュータ−機械−可読媒体である。
【０１７６】
上記高速コントローラ９０８は、コンピュータ装置９００に対するバンド幅集中操作を管理し、一方、上記低速コントローラ９１２は、低バンド幅集中操作を管理する。こうした機能の割り当ては、単なる典型例である。１つの実装例では、上記高速コントローラ９０８は、（グラフィックプロセッサ又はアクセラレータを通じて）記憶装置９０４、ディスプレイ９１６と、及び（図示しない）種々の拡張カードを受け入れ可能な高速拡張ポート９１０と組合される。この実装例では、低速コントローラ９１２は、記憶機器９０６及び低速拡張ポート９１４と組合される。種々の通信ポート（例えば、ＵＳＢ、ブルートゥース（登録商標）、イーサネット（登録商標）、無線イーサネット（登録商標））を含み得るこの低速拡張ポートは、キーボード、ポインティングデバイス、スキャナ、又は、例えばネットワークアダプタを通じた、スイッチ又はルータのようなネットワーク化デバイスといった、１つ以上の入力／出力機器と組合され得る。
【０１７７】
上記コンピュータ装置９００は、図に示すような、複数の異なる形態内に実装し得る。例えば、それは、標準的なサーバとして、又はそのような複数のサーバの群内に複数回、実装し得る。それはまた、ラックサーバシステム９２４の一部として実装し得る。付加的に、それは、ラップトップコンピュータ９２２のようなパーソナルコンピュータ内に実装し得る。選択的に、コンピュータ装置９００の構成要素は、機器９５０のような、（図示しない）携帯機器内の他の構成要素と組合せ得る。そうした機器の夫々は、１つ以上のコンピュータ装置９００、９５０を含み得、またシステム全体は、互いに通信する複数のコンピュータ装置９００、９５０で構成し得る。
【０１７８】
コンピュータ機器９５０は、他の構成要素の間に、処理装置９５２、記憶装置９６４、ディスプレイ９５４のような入力／出力機器、通信インターフェース９６６、及びトランシーバ９６８を含む。この機器９５０はまた、付加的な記憶を提供するための、マイクロドライブ（登録商標）又は他の装置のような記憶装置を備え得る。構成要素９５０、９５２、９６４、９５４，９６６、及び９６８の夫々は、種々のバスを使用して相互接続されると共に、構成要素のいくつかは、共通のマザーボード上に、又は適切な他の手法で架設され得る。
【０１７９】
上記処理装置９５２は、上記記憶装置９５４内に記憶された指示を含み、コンピュータ機器９５０内の指示を実行することができる。この処理装置は、個別及び複合のアナログ及びデジタルの処理ユニットを含むチップのチップセットとして実装され得る。この処理装置は、例えば、ユーザインターフェースの制御、機器９５０によるアプリケーションの実行、及び機器９５０による無線通信のような、機器９５０の他の構成要素の調整を提供し得る。
【０１８０】
処理装置９５２は、制御インターフェース９５８及びディスプレイ９５４に組み合わされたディスプレイインターフェース９５６を通じてユーザと通信し得る。このディスプレイ９５４は、例えば、ＴＦＴＬＣＤ（薄膜トランジスタ液晶ディスプレイ）またはＯＬＥＤ（有機発光ダイオード）ディスプレイ、又は他の適切なディスプレイ技術であり得る。上記ディスプレイインターフェース９５６は、画像又は他の情報をユーザに提供するために上記ディスプレイ９５４を駆動するための適切な回路を備え得る。上記制御インターフェース９５８は、ユーザからの指令を受け且つそれらを上記処理装置９５２に投入するために変換し得る。付加的に、外部インターフェース９６２は、機器９５０と他の危機との周辺通信が可能となるように、処理装置９５２との通信内に設けられ得る。外部インターフェース９６２は、例えば、幾つかの実装内での有線通信、又は他の実装内の無線通信を提供し得ると共に、複数のインターフェースもまた使用され得る。
【０１８１】
上記記憶装置９６４は、上記コンピュータ機器９５０内の情報を記憶する。この記憶装置９６４は、１つ又は複数のコンピュータ可読媒体、１つ又は複数の揮発性メモリ、又は１つ又は複数の不揮発性メモリの１つ以上として実装することができる。拡張インターフェース９８２を通じて機器９５０に接続され且つ例えばＳＩＭＭ（シングルインラインメモリモジュール）カードインターフェースを含み得る拡張メモリ９８４も備え得る。このような拡張メモリ９８４は、機器９５０に対して追加の記憶スペースを提供し得、又は機器９５０に対してアプリケーション又は他の情報も記憶し得る。具体的には、拡張メモリ９８４は、前述の工程を実行又は補間する指示を含み得、又は重度の情報も含み得る。従って、例えば、拡張メモリ９８４は、機器９５０に対する保安モジュールとしての役をなし得、また機器９５０の安全な使用を許容する指示と共にプログラミングされ得る。付加的に、ハッキングできない様式でＳＩＭＭカード上に配置された識別情報のような付加的な情報と共に、ＳＩＭＭカードを経て、保安アプリケーションを提供し得る。
【０１８２】
上記記憶装置は、例えば、以下に記述するような、フラッシュメモリ及び／又はＮＶＲＡＭメモリを含み得る。１つの実装例では、コンピュータプログラム製品は、情報担体内に実体的に統合し得る。このコンピュータプログラム製品は、前述のような１つ以上の方法が実行される場合に、それを実行する指示を含む。この情報担体は、上記記憶装置９６４、拡張メモリ９８４、又は処理装置９５２上のメモリのように、例えばトランシーバ９６８又は外部インターフェース９６２によって受信され得るコンピュータ−又は機械−可読媒体である。
【０１８３】
機器９５０は、必要に応じてデジタル信号処理回路を含み得る通信インターフェース９６６を通じて無線通信し得る。通信インターフェース９６６は、数ある中でも、ＧＳＭ（登録商標）音声通話、ＳＭＳ、ＥＭＳ、又はＭＭＳメッセージ交換、ＣＤＭＡ、ＴＤＭＡ、ＰＤＣ、ＷＣＤＭＡ（登録商標）、ＣＤＭＡ２０００、又はＧＰＲＳのような、種々のモード又はプロトコル下の通信を提供し得る。このような通信は、例えば無線周波数トランシーバ９６８を通じてなし得る。付加的に、短距離通信は、ブルートゥース（登録商標）、Ｗｉ−Ｆｉ、又は他の同様のトランシーバ（図示せず）などを使用してなし得る。付加的に、ＧＰＳ（全球測位システム）受信モジュール９８０は、機器９５０上で実行するアプリケーションによって適切に使用され得る航行−及び測位−無線データを機器９５０に提供し得る。
【０１８４】
機器９５０はまた、ユーザからの話した情報を受信し且つそれを有用なデジタル情報に変換する音声コーデック９６０を使用して、聞こえるように通信し得る。音声コーデック９６０は、同様に、例えば、機器９５０の送受話器内のスピーカを通じて、ユーザに対して聴こえる音声を生成し得る。こうした音声は、音声電話通話からの音声を含み得、録音された音声（例えば、音声メッセージ、ミュージックファイル、その他）を含み得、及びまた、機器９５０上で実行するアプリケーションによって生成された音声も含み得る。
【０１８５】
コンピュータ装置９５０は、図に示すような複数の異なる形態内に実装し得る。例えば、それは携帯電話９８０として実装し得る。それはまた、スマートフォン９８２、携帯情報端末、又はその他の同様の携帯機器の一部として実装し得る。
【０１８６】
ここに記述されるシステム及び技術の種々の実装例は、デジタル電子回路、集積回路、特別に設計されたＡＳＩＣ（特定用途向け集積回路）、コンピュータハードウエア、ファームウエア、ソフトウエア、及び／又はそれらの組合せによって実現することができる。これらの種々の実装例は、記憶システム、少なくとも１つの入力機器、及び少なくとも１つの出力機器から受信したデータ及び指示及びそれらに伝送するデータ及び指示と組合された１つ以上のコンピュータプログラムであって、少なくとも１つのプログラミング可能な処理装置に含まれる、特別の又は一般的な目的であるそのコンピュータプログラム上で実行可能な及び／又は翻訳可能な１つ以上のコンピュータプログラム内への実装を含むことができる。
【０１８７】
（プログラム、ソフトウエア、ソフトウエアアプリケーション又は符号としても知られる）これらのコンピュータプログラムは、プログラミング可能な処理装置に対する機械的指示を含み、且つ高水準の手順の及び／又はオブジェクト指向のプログラミング言語、及び／又は、アッセンブリ語／機械語で実装することができる。ここで使用するように、用語「機械可読媒体」及び「コンピュータ可読媒体」は、機械可読信号として機械命令を受信する機械可読媒体を含み、プログラミング可能な処理装置への機械命令及び／又はデータを提供するために使用されるあらゆるコンピュータプログラム製品、装置及び／又は機器（例えば、磁気ディスク、光学ディスク、メモリ、プログラマブルロジックデバイス（ＰＬＤ））を指す。
【０１８８】
ユーザとの交流を提供するために、ここに記述されるシステム及び技術は、ユーザに情報を表示するためのディスプレイ装置（例えばＣＲＴ（陰極線管）又はＬＣＤ（液晶ディスプレイ）モニタ）及びユーザがコンピュータに入力を提供するためのキーボード及びポインティングデバイス（例えば、マウス又はトラックボール）を有するコンピュータに実装することができる。例えば、あらゆる形態の感覚的フィードバック（例えば視覚的フィードバック、聴覚的フィードバック、又は触覚的フィードバック）をユーザにフィードバックして提供する、及び音響、会話、又は触覚入力を含む、あらゆる形態のユーザからの入力を受信可能な、ユーザとの交流を提供するための他の種類の機器が同様に使用可能である。
【０１８９】
ここに記述されるシステム及び技術は、後端構成要素（例えばデータサーバのような）を含む、又はミドルウエア構成要素（例えばアプリケーションサーバ）を含む、又は前端構成要素（例えば、ここに記述されるシステム及び技術の実装とユーザが交流できるグラフィックユーザインターフェース又はウエブブラウザを有するクライアントコンピュータ）を含む、又はそのような後端、ミドルウエア、又は前端構成要素のあらゆる組合せのコンピュータ装置内に実装することができる。このシステムの構成要素は、デジタルデータ通信（例えば通信網）のあらゆる形式又は媒体によって相互接続することができる。通信網の例は、局所領域網（“ＬＡＮ”）、広域網（“ＷＡＮ”）、及びインターネットを含む。
【０１９０】
上記コンピュータ装置は、クライアント及びサーバを含むことができる。クライアント及びサーバは、一般的に、互いから遠く離れており、また典型的に、通信網を通して交流する。このクライアントとサーバの関係は、個々のコンピュータ上で実行され且つ互いにクライアント−サーバ関係を有するコンピュータプログラムによって発生する。
【０１９１】
複数の実施の形態が記述されている。しかしながら、本発明の趣旨と範囲から逸脱することなく、種々の変更がなされ得ることを理解されたい。
【０１９２】
付加的に、図に示すロジックフローは、示される順序、又は連続的な順序、要求される結果を達成することを必要とするものではない。付加的に、他のステップを提供してもよく、又は記述されるフローからステップを省いてもよく、及び記述されるシステムに他の構成要素を加えたり、それから除去したりしてもよい。従って、他の実施の形態も、以下の特許請求の範囲内である。
【図１】
2019522596.tif 000003
【図２】
2019522596.tif 000004
【図３】
2019522596.tif 000005
【図４】
2019522596.tif 000006
【図５Ａ】
2019522596.tif 000007
【図５Ｂ】
2019522596.tif 000008
【図５Ｃ】
2019522596.tif 000009
【図６】
2019522596.tif 000010
【図７】
2019522596.tif 000011
【図８】
2019522596.tif 000012
【図９】
2019522596.tif 000013
【図１０】
2019522596.tif 000014
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
物品（１０５）を輸送するための輸送容器（１００）において、
前記輸送容器（１００）は、
前記物品（１０５）を受け入れるように適応された物品位置（１０４）と、
前記物品位置（１０４）を断熱するように適応された少なくとも１つの真空断熱パネル（１０２−ｉ）と、
前記物品の温度（Θ  ＯＢＪＥＣＴ）に影響を与える前記真空断熱パネル（１０２−ｉ）の少なくとも１つの物理特性に対する測定値（Ｖｉｊ）に応じたパネル状態信号（１２５−ｉ）を提供するように適応され、前記真空断熱パネル（１０２−ｉ）に組付けられた少なくとも１つのセンサユニット（１２０−ｉ）と、
前記パネル状態信号（１２５−ｉ）の第１符号（１３５−ｉ）を前記輸送容器（１００）内で伝送するように適応された少なくとも１つの短距離伝送ユニット（１３０−ｉ）と、
前記短距離伝送ユニット（１３０−ｉ）からの前記パネル状態信号（１２５−ｉ）の前記第１符号（１３５−ｉ）を受信すると共に、前記輸送容器の運用状態の表現を規定するように前記パネル状態信号を処理するための遠隔サーバコンピュータ（２００）に前記パネル状態信号の第２符号（１４５）を伝送するように適応された長距離伝送ユニット（１４０）とを備え、
前記運用状態は、前記物品の温度（Θ  ＯＢＪＥＣＴ）に関連すると共に、前記長距離伝送ユニット（１４０）から前記遠隔サーバコンピュータ（２００）への前記パネル状態信号（１２５−ｉ）の前記第２符号（１４５）の後続の伝送までの時間間隔からなる前記伝送間隔に依存し、
前記伝送は、選択的に、
・所定の持続時間を有する前記伝送間隔を伴う周期的な伝送、及び
・最長持続時間を有する前記伝送間隔を伴う区分のない伝送の何れかである、輸送容器。
【請求項２】
前記伝送間隔は、前記真空断熱パネル（１０２−ｉ）に用いられる材料に依存し、より高い断熱性能を有する材料を用いた真空断熱パネルに対しては前記伝送間隔がより長い、請求項１に記載の輸送容器（１００）。
【請求項３】
少なくとも前記伝送間隔は、前記真空断熱パネル材料の材料クラスへの類別を使用することによって区別される、請求項２に記載の輸送容器（１００）。
【請求項４】
前記真空断熱パネルは、ポリウレタンＰＵ、発泡スチロールＥＰＳ、及び有機エアロゲルから選択されたコア材料を有し、前記有機エアロゲルを有する前記真空断熱パネルは、比較的により高い材料性能クラスに分類され、ポリウレタンＰＵ又は発泡スチロールＥＰＳを有する前記真空断熱パネルは、比較的により低い材料性能クラスに分類される、請求項３に記載の輸送容器（１００）。
【請求項５】
前記有機エアロゲルは、国際公開番号ＷＯ２０１６／０４６１７２Ａ２に記述されるようにして製造された真空引き可能な有機材料である、請求項４に記載の輸送容器（１００）。
【請求項６】
前記有機エアロゲルがＷｉｅｇｍａｎｎエアロゲルである、請求項４に記載の輸送容器（１００）。
【請求項７】
請求項１乃至６の何れか１項に記載の輸送容器（１００）の操作方法（１０００）であって、
第１材料を使用して製造された第１真空断熱パネル（１０２−ｉ）を、第２材料を使用して製造された第２真空断熱パネル（１０２’−ｉ）と置換し、双方の材料は前記２つの真空断熱パネルに異なる熱伝導率をもたらすステップ（１０１０）と、
前記遠隔サーバコンピュータ（２００）への前記パネル状態信号の第２符号（１４５）の伝送に関する技術パラメータを改変するステップ（１０４０）とを備える、操作方法。
【請求項８】
前記第１真空断熱パネル及び第２真空断熱パネルは、前記材料に従って、前記異なる熱伝導率による前記真空断熱パネルの性能を表す複数の材料性能クラスに分類されると共に、前記材料性能クラスは、前記真空断熱パネルに関連付けされたデータ構造によって表され、前記方法（１０００）は更に、前記データ構造を読み込むステップ（１０２０、１０３０）を備え、前記技術パラメータの改変ステップ（１０４０）は、より高い真空断熱パネル性能を有するように分類された真空断熱パネルのためにより長い伝送間隔（Ｔ  ＳＡＭＰＬＥ）を選択するステップ（１０４０）を備える、請求項７に記載の輸送容器（１００）の操作方法（１０００）。
【請求項９】
前記技術パラメータの改変ステップ（１０４０）は、より高い真空断熱パネル性能を有するように分類された前記真空断熱パネルのために、より長い残存機能間隔（Ｔ  ＬＩＭＩＴ）を選択するステップを備える、請求項７又は８に記載の輸送容器（１００）の操作方法。
【請求項１０】
前記データ構造の読み込みステップは、前記第２真空断熱パネルの前記クラスを示す材料クラス信号（ＭＣＳ）を前記遠隔サーバコンピュータ（２００）に伝送するステップ（１０３０）を備える、請求項８に記載の輸送容器（１００）の操作方法。
【請求項１１】
請求項１乃至６の何れか１項に記載の輸送容器（１００）からの前記パネル状態信号の前記第２符号（１４５）を受信するように適応された遠隔サーバコンピュータ（２００）において、
前記遠隔サーバコンピュータ（２００）は、
・前記パネル状態信号の前記第２符号（１４５）を標本（Ｔ  ＳＡＭＰＬＥ）の連続として受信し、
・受信する新しい標本に基づいて、予め規定された規則（Ｒ１、Ｒ２、Ｒ３、Ｒ４）の組合せに従って前記輸送容器（１００）の少なくとも１つの前記運用状態の状態値を測定し、更に
・その状態値の表示（ＮＯＲＭＡＬ−ＵＦＮＣＴＩＯＮ＊、ＰＲＥ−ＦＡＩＬＵＲＥ−ＦＵＮＣＴＩＯＮ＊、ＦＡＩＬＵＲＥ＊）を記憶する
ように適応された規則モジュール（２５０）によって特徴付けられ、
前記予め規定された規則の組合せは、
前記輸送容器（１００）の前記運用状態が標準機能状態（ＮＯＲＭＡＬ−ＦＵＮＣＴＩＯＮ＊）であることを決定するための第１則（Ｒ１）と、
前記真空断熱パネルに関する事象の発生を検出すると前記輸送容器（１００）の前記運用状態が前故障状態であると決定するための第２則（Ｒ２）と、
前記真空断熱パネルの事象から前記特定の物品位置（１０４）での予め規定された状態までの時間間隔が伸びて、前記時間間隔（Ｔ  ＬＩＭＩＴ）が経過したときに前記状態値の表示を故障状態（ＦＡＩＬＵＲＥ＊）にセットすることを確定する第３則（Ｒ３）とを備え、
前記第３則は、前記真空断熱パネル（１０２−ｉ）の前記材料に依存する特定の輸送容器（１００）のための時間間隔を確定する、遠隔サーバコンピュータ。
【請求項１２】
前記遠隔サーバコンピュータ（２００）は、前記第２真空断熱パネルの前記クラスを示す材料クラス信号（ＭＣＳ）を受信する、請求項１１に記載の遠隔サーバコンピュータ（２００）。
【請求項１３】
物品（１０５）を輸送するのに適応された輸送容器（１００）の操作方法（７００）において、
前記輸送容器（１００）内において真空断熱パネル（１０２−ｉ）で断熱された物品位置（１０４）内に物品（１０５）を設置するステップ（７１０）と、
前記真空断熱パネル（１０２−ｉ）に組付けられたセンサユニット（１２０−ｉ）により、前記物品の温度（Θ  ＯＢＪＥＣＴ）に影響を与える前記真空断熱パネル（１０２−ｉ）の少なくとも１つの物理特性に対する測定値（Ｖｉｊ）に応じたパネル状態信号（１２５−ｉ）を提供するステップ（７２０）と、
短距離伝送ユニット（１３０−ｉ）により、前記パネル状態信号（１２５−ｉ）の第１符号（１３５−ｉ）を前記輸送容器（１００）内で伝送するステップ（７３０）と、
長距離伝送ユニット（１４０）により、前記短距離伝送ユニット（１３０−ｉ）からの前記パネル状態信号（１２５−ｉ）の前記第１符号（１３５−ｉ）を受信するステップ（７４０）、及び、前記輸送容器（１００）の少なくとも１つの運用状態の状態値を規定するように前記パネル状態信号を処理するための遠隔サーバコンピュータ（２００）に前記パネル状態信号の第２符号（１４５）を伝送するステップ（７５０）と、
前記輸送容器（１００）の前故障状態の決定に基づいて、新規の真空断熱パネルによって前記真空断熱パネル（１０２−ｉ）を置換するステップ（１０１０）及び前記物品温度（Θ  ＯＢＪＥＣＴ）の変化から選択される行為を含めた修正行動を提供するステップ（７６０）とを備える、操作方法（７００）。
【請求項１４】
前記新規の真空断熱パネル及び前記短距離伝送ユニット（１３０−ｉ）間の相互作用、又は前記新規の真空断熱パネル及び前記長距離伝送ユニット（１４０）間の相互作用により、前記新規の真空断熱パネルの材料クラスを示す材料クラス信号（ＭＣＳ）を検出するステップ（１０２０）を更に備える、請求項１３に記載の操作方法。
【請求項１５】
前記新規の真空断熱パネルの前記クラスを示す材料クラス信号（ＭＣＳ）を前記遠隔サーバコンピュータ（２００）に伝送するステップ（１０３０）を更に備える、請求項１３又は１４に記載の操作方法。
【請求項１６】
前記パネル状態信号を提供するステップ（７２０）、前記パネル状態信号の前記第１符号を伝送するステップ（７３０）、及び前記パネル状態信号の前記第１符号を受信するステップ（７４０）がコンピュータ実装ステップである、請求項１３乃至１５の何れか１項に記載の操作方法。
【請求項１７】
コンピュータの記憶装置にロードされ且つ前記コンピュータの少なくとも１つの処理装置によって実行される指示を含み、請求項１６に記載の操作方法のステップの実行への前記コンピュータの参加をもたらす、コンピュータプログラム製品。
【請求項１８】
遠隔サーバコンピュータ（２００）を操作するためにコンピュータに実装された方法（８００）において、
前記遠隔サーバコンピュータ（２００）は、物品位置（１０４）を断熱する真空断熱パネル（１２０−ｉ）を備えた輸送容器（１００）からのパネル状態信号（１２５−ｉ）の符号（１４５）を受信するように適応され、
前記パネル状態信号（１２５−ｉ）は、前記物品位置（１０４）での物品の温度に影響を与える前記真空断熱パネル（１２０−ｉ）の少なくとも１つの物理特性に対する測定値（Ｖｉｊ）に対応し、
前記方法（８００）は、
前記パネル状態信号の前記符号（１４５）の標本を受信するステップ（８１０）と、
・前記輸送容器（１００）の運用状態が標準機能状態（ＮＯＲＭＡＬ−ＦＵＮＣＴＩＯＮ＊）であることを決定するための第１則（Ｒ１）、
・前記真空断熱パネルに関する事象の発生を検出すると前記輸送容器（１００）の前記運用状態が前故障状態であると決定するための第２則（Ｒ２）、
・前記真空断熱パネルの事象から前記特定の物品位置（１０４）での予め規定された状態までの時間間隔が伸びて、時間間隔（Ｔ  ＬＩＭＩＴ）が経過したときに状態値の表示を故障状態（ＦＡＩＬＵＲＥ＊）にセットすることを確定する第３則（Ｒ３）を用いて、
予め規定された規則（Ｒ１、Ｒ２、Ｒ３、Ｒ４）の組合せに従って前記輸送容器（１００）の少なくとも１つの前記運用状態の状態値を測定するステップ（８２０）と、
その状態値の表現（ＮＯＲＭＡＬ−ＵＦＮＣＴＩＯＮ＊、ＰＲＥ−ＦＡＩＬＵＲＥ−ＦＵＮＣＴＩＯＮ＊、ＦＡＩＬＵＲＥ＊）を記憶するステップ（８３０）とを備えた、方法。
【請求項１９】
前記伝送間隔は、前記輸送容器（１００）への修正行動の付与を可能とするために、前記輸送容器（１００）の監視が即時監視であるように選択される、請求項１に記載の輸送容器（１００）。
【国際調査報告】
2019522596.tif 000015
2019522596.tif 000016